(57)【要約】【課題】各台装置における貯玉への移行を円滑に行うことで利便性の向上を実現すること。【解決手段】貯玉への移行に係る第１の操作（「貯玉移行」ボタンの操作）を受け付けてから貯玉への移行の実行に対応する第２の操作（「開始」ボタンの操作）を受け付けるまでの間に、貯玉への移行の対象となる持玉や遊技可能数に影響する所定の状態が発生したか否かを判定する。かかる状態（「計数検知」、「遊技玉のアウト又は発射」、「遊技機の不正検知」、「持玉再プレイ操作受付」など）が発生した場合には貯玉への移行を抑制する。【選択図】図１
2017108768.tif 000002
【特許請求の範囲】
【請求項１】
遊技機に対応付けて設置され、前記遊技機による遊技に用いられる遊技媒体に係る処理を行う各台装置であって、
遊技客が遊技により獲得した遊技媒体数を管理する遊技媒体数管理手段と、
前記遊技媒体数管理手段にて管理される遊技媒体数を上位装置により管理される貯遊技媒体数に移行させる貯遊技媒体移行処理を行う貯遊技媒体移行手段と、
前記貯遊技媒体移行処理に係る入力を受け付けてから前記貯遊技媒体移行処理が完了するまでの所定の期間において、所定の状態が発生すると前記貯遊技媒体移行処理を抑制する抑制手段と
を備えたことを特徴とする各台装置。
【請求項２】
前記貯遊技媒体移行手段は、少なくとも第１の操作に続いて第２の操作を受け付けた場合に貯遊技媒体移行処理を行うものであって、
前記抑制手段は、前記第１の操作を受け付けた後第２の操作を受け付けるまでの間に前記所定の状態が発生すると貯遊技媒体移行処理を抑制するものである
ことを特徴とする請求項１に記載の各台装置。
【請求項３】
前記第１の操作は前記遊技媒体数管理手段にて管理される遊技媒体の範囲内で貯遊技媒体に移行させる遊技媒体数の指定を行う指定操作であり、
前記第２の操作は前記貯遊技媒体移行処理の実行を確定する操作である
ことを特徴とする請求項２に記載の各台装置。
【請求項４】
前記第１の操作は前記貯遊技媒体移行処理を要求する操作であり、前記第２の操作は前記貯遊技媒体数の管理に用いる識別情報を特定する操作であることを特徴とする請求項２記載の各台装置。
【請求項５】
前記抑制手段は、前記貯遊技媒体移行処理に係る入力を無効化することを特徴とする請求項１〜４のいずれか一つに記載の各台装置。
【請求項６】
前記抑制手段は、前記貯遊技媒体移行処理を保留することを特徴とする請求項１〜４のいずれか一つに記載の各台装置。
【請求項７】
前記遊技機又は自装置に係る所定の異常を検出する異常検出手段をさらに備え、
前記抑制手段は、前記異常検出手段にて異常が検出されたことを前記所定の状態の発生とすることを特徴とする請求項１〜６のいずれか一つに記載の各台装置。
【請求項８】
前記遊技媒体数管理手段にて管理される遊技媒体が減少する場合又は減少する契機があった場合を前記所定の状態とすることを特徴とする請求項１〜７のいずれか一つに記載の各台装置。
【請求項９】
遊技機に対応付けて設置され、前記遊技機による遊技に用いられる遊技媒体に係る処理を行う各台装置における遊技媒体数管理方法であって、
遊技客が遊技により獲得した遊技媒体数を管理する遊技媒体数管理ステップと、
前記遊技媒体数管理ステップにて管理される遊技媒体数を上位装置により管理される貯遊技媒体数に移行させる貯遊技媒体移行処理に係る入力を受け付けてから前記貯遊技媒体移行処理が完了するまでの間の所定の期間において、所定の状態が発生すると前記貯遊技媒体移行処理を抑制する抑制ステップと
を含むことを特徴とする遊技媒体数管理方法。
【発明の詳細な説明】
【技術分野】
【０００１】
この発明は、遊技機に対応付けて設置され、遊技機による遊技に用いられる遊技媒体に係る処理を行う各台装置、及び各台装置による遊技媒体数管理方法に関する。
【背景技術】
【０００２】
従来、パチンコ店等の遊技店では、遊技客を識別する識別情報に関連付けて遊技客に関する各種情報を管理し、遊技客に対する様々なサービスを行なっている。例えば、特許文献１は、遊技店に会員登録した遊技客の会員ＩＤに対応付けて遊技媒体数を管理し、該遊技媒体数を翌日以降も遊技や賞品交換に使用可能とする貯玉サービスを提供する貯玉管理装置を開示している。
【０００３】
遊技客は、遊技において獲得した遊技媒体数である持玉を上述の貯玉管理装置に登録することで、持玉を貯玉に移行させることができる。持玉は、所定の期限内のみ（例えば当日の閉店時間まで）遊技や賞品交換に使用可能であるが、貯玉に移行させることにより所定の期限を超えて使用できることとなる。なお、遊技媒体としては遊技玉の他、メダル等も用いられるが、本明細書では説明を簡明にするため、遊技媒体の形状に関わらず持玉、貯玉と称する。
【０００４】
持玉の貯玉への移行は、賞品交換を行うカウンタなどで行うことができる。また、会員ＩＤに対応付けられた持玉については、遊技店の閉店時などに自動的に貯玉に移行される。さらに、遊技機に併設された各台装置で持玉を貯玉に移行させることも可能である。
【０００５】
また、最近になって、他店からの持込玉や異なる貸出レート間の持込玉の問題が顕在化してきたため、かかる持込玉が発生しない封入式の遊技機が注目されている。封入式の遊技機では、遊技客が遊技玉に触れない構造となっており、遊技玉を発射可能な数（以下、遊技可能数と言う）はデータとして管理されている（例えば特許文献２参照。）。
【０００６】
このような封入式の遊技機に併設される各台装置では、遊技玉の現物を自装置や遊技機が払い出すよう制御するのではなく、遊技玉数をデータとして遊技機に送信することとなる。また、遊技を終了する際には、各台装置が遊技機から遊技可能数を取得し、持玉に加算することになる。各台装置が遊技機から遊技可能数を取得し、持玉に加算する操作は、遊技玉を計数する操作に対応するため、以降、本明細書では計数操作という。かかる封入式の遊技機に併設された各台装置でも、持玉を貯玉に移行させることが可能である。
【先行技術文献】
【特許文献】
【０００７】
【特許文献１】特開２０１１−２１７８４６号公報
【特許文献２】特開２００２−２３３６３５号公報
【発明の概要】
【発明が解決しようとする課題】
【０００８】
しかしながら、従来の技術では、持玉を貯玉に移行させる際の利便性が不十分であるという問題点があった。この点について具体的に説明する。各台装置にて持玉を貯玉に移行させる場合に、遊技客としては持玉の一部を選択的に貯玉に移行させたいと希望する場合がある。ところが、各台装置では、持玉の払い出しや獲得した遊技玉の計数も行うことができるため、持玉が変動する場合がある。持玉の貯玉への移行と持玉の数の変動の双方が発生すると、貯玉に移行される玉数が遊技客の意図する玉数と相違し、トラブルの原因となる。
【０００９】
これらのことから、各台装置で持玉等を貯玉に移行させる場合に、遊技客の意図と相違するなどの不都合の発生を防ぎ、貯玉への円滑な移行を実現して利便性を向上することが重要な課題となっていた。
【００１０】
本発明は、上述した問題点を解消し、課題を解決するためになされたものであって、各台装置における貯玉への移行を円滑に行うことで利便性の向上を実現する各台装置及び遊技媒体数管理方法を提供することを目的とする。
【課題を解決するための手段】
【００１１】
上述した課題を解決し、目的を達成するため、本発明は、遊技機に対応付けて設置され、前記遊技機による遊技に用いられる遊技媒体に係る処理を行う各台装置であって、遊技客が遊技により獲得した遊技媒体数を管理する遊技媒体数管理手段と、前記遊技媒体数管理手段にて管理される遊技媒体数を上位装置により管理される貯遊技媒体数に移行させる貯遊技媒体移行処理を行う貯遊技媒体移行手段と、前記貯遊技媒体移行処理に係る入力を受け付けてから前記貯遊技媒体移行処理が完了するまでの所定の期間において、所定の状態が発生すると前記貯遊技媒体移行処理を抑制する抑制手段とを備えたことを特徴とする。
【００１２】
また、本発明は、上記発明において、前記貯遊技媒体移行手段は、少なくとも第１の操作に続いて第２の操作を受け付けた場合に貯遊技媒体移行処理を行うものであって、前記抑制手段は、前記第１の操作を受け付けた後第２の操作を受け付けるまでの間に前記所定の状態が発生すると貯遊技媒体移行処理を抑制するものであることを特徴とする。
【００１３】
また、本発明は、上記発明において、前記第１の操作は前記遊技媒体数管理手段にて管理される遊技媒体の範囲内で貯遊技媒体に移行させる遊技媒体数の指定を行う指定操作であり、前記第２の操作は前記貯遊技媒体移行処理の実行を確定する操作であることを特徴とする。
【００１４】
また、本発明は、上記発明において、前記第１の操作は前記貯遊技媒体移行処理を要求する操作であり、前記第２の操作は前記貯遊技媒体数の管理に用いる識別情報を特定する操作であることを特徴とする。
【００１５】
また、本発明は、上記発明において、前記抑制手段は、前記貯遊技媒体移行処理に係る入力を無効化することを特徴とする。
【００１６】
また、本発明は、上記発明において、前記抑制手段は、前記貯遊技媒体移行処理を保留することを特徴とする。
【００１７】
また、本発明は、上記発明において、前記遊技機又は自装置に係る所定の異常を検出する異常検出手段をさらに備え、前記抑制手段は、前記異常検出手段にて異常が検出されたことを前記所定の状態の発生とすることを特徴とする。ここで、「異常」とは、例えば、装置の制御上・通信上のエラー、不正行為の検出等である。
【００１８】
また、本発明は、上記発明において、前記遊技媒体数管理手段にて管理される遊技媒体が減少する場合又は減少する契機があった場合を前記所定の状態とすることを特徴とする。ここで、減少する契機があった場合とは、例えば、減少する処理を行うための条件が成立した場合や、減少する処理を行う前提となる操作が行われた場合等である。
【００１９】
また、本発明は、遊技機に対応付けて設置され、前記遊技機による遊技に用いられる遊技媒体に係る処理を行う各台装置における遊技媒体数管理方法であって、遊技客が遊技により獲得した遊技媒体数を管理する遊技媒体数管理ステップと、前記遊技媒体数管理ステップにて管理される遊技媒体数を上位装置により管理される貯遊技媒体数に移行させる貯遊技媒体移行処理に係る入力を受け付けてから前記貯遊技媒体移行処理が完了するまでの間の所定の期間において、所定の状態が発生すると前記貯遊技媒体移行処理を抑制する抑制ステップとを含むことを特徴とする。
【発明の効果】
【００２０】
本発明によれば、遊技客が遊技により獲得した遊技媒体数を管理し、かかる遊技媒体数を上位装置により管理される貯遊技媒体数に移行させる貯遊技媒体移行処理を行う場合に、貯遊技媒体移行処理に係る入力を受け付けてから貯遊技媒体移行処理が完了するまでの所定の期間において、所定の状態が発生すると貯遊技媒体移行処理を抑制するよう構成した。このため、各台装置における貯玉への移行を円滑に行い、もって利便性の向上を実現することができる。
【図面の簡単な説明】
【００２１】
【図１】図１は、実施例１における貯玉への移行についての説明図である。
【図２】図２は、遊技店のシステム構成を示す図である。
【図３】図３は、台間カード処理機及び遊技機の外観を示す図である。
【図４】図４は、台間カード処理機及び遊技機の構成を示す機能ブロック図である。
【図５】図５は、台間カード処理機の記憶部に記憶されるデータの一例を説明するための説明図である。
【図６】図６は、移行玉数指定「なし」で一般カードが挿入された状態での貯玉移行処理の説明図である。
【図７】図７は、移行玉数指定「あり」で一般カードが挿入された状態での貯玉移行処理の説明図である。
【図８】図８は、会員カードが挿入された状態での貯玉移行処理における持玉数の管理の一例についての説明図である。
【図９】図９は、一般カードが挿入された状態での貯玉移行処理における持玉数の管理の一例についての説明図である。
【図１０】図１０は、会員カードが挿入された状態での貯玉移行処理に係る処理手順を示すフローチャートである。
【図１１】図１１は、一般カードが挿入された状態での貯玉移行処理に係る処理手順を示すフローチャートである。
【図１２】図１２は、貯玉移行判定処理の詳細な処理手順を示すフローチャートである。
【図１３】図１３は、実施例２における貯玉への移行についての説明図である。
【図１４】図１４は、図１３に示した台間カード処理機の外観を示す図である。
【図１５】図１５は、図１３に示した台間カード処理機の構成を示す機能ブロック図である。
【図１６】図１６は、図１５に示した貯玉移行制御データの一例を説明するための説明図である。
【図１７】図１７は、会員カードが挿入された状態での貯玉移行処理における持玉数の管理の一例についての説明図である。
【図１８】図１８は、一般カードが挿入された状態での貯玉移行処理における持玉数の管理の一例についての説明図である。
【発明を実施するための形態】
【００２２】
以下に、添付図面を参照して、本発明に係る各台装置及び遊技媒体数管理方法の好適な実施例を詳細に説明する。
【００２３】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客および会員遊技客の双方が使用可能であり、遊技に用いる遊技機の変更（いわゆる台移動）を行った場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【実施例１】
【００２４】
実施例１では、封入式の遊技機２０に併設された各台装置である台間カード処理機１０が持玉と遊技可能数とを貯玉に移行させる場合について説明を行う。図１は、実施例１における貯玉への移行についての説明図である。
【００２５】
図１に示すように、封入式の遊技機２０に併設された台間カード処理機１０には、表示操作部１３が設けられている。台間カード処理機１０に会員カードが挿入された状態では、この表示操作部１３に図１（ａ）に示すメニュー画面が表示される。
【００２６】
図１（ａ）に示すメニュー画面では、持玉が「８７５玉」であり、遊技可能数が「４０玉」である状態が示されている。また、このメニュー画面には、「会員情報」ボタン、「持玉情報」ボタン及び「貯玉移行」ボタンが表示されている。
【００２７】
「会員情報」ボタンは、会員カードのカードＩＤに対応付けられた会員に関する情報を表示させるための操作ボタンである。「持玉情報」ボタンは、カードＩＤに対応付けられた持玉に関する情報を表示させるための操作ボタンである。
【００２８】
「貯玉移行」ボタンは、持玉と遊技可能数とを貯玉に移行させるための操作ボタンである。台間カード処理機１０は、「貯玉移行」ボタンの操作を受け付けると、図１（ｂ）に示す貯玉移行画面を表示する。
【００２９】
図１（ｂ）に示す貯玉移行画面では、「貯玉方法を選択してください」とのメッセージとともに、「持玉全て」ボタンと「指定個数」ボタンが表示される。「持玉全て」ボタンへの操作を受け付けると、台間カード処理機１０は、持玉「８７５玉」を貯玉への移行の対象とする。
【００３０】
一方、「指定個数」ボタンへの操作を受け付けると、台間カード処理機１０は、図１（ｃ）に示すように、貯玉に移行する遊技玉数の指定を受け付ける画面を表示する。貯玉に移行することのできる上限である貯玉可能数は、持玉と遊技可能数の合計値であり、図１（ｃ）の例では「９１５玉」となる。図１（ｃ）の画面では、指定個数を入力するための０〜９の数字ボタン、「取消」ボタン及び「開始」ボタンが表示されており、遊技客が貯玉に移行する指定個数として「９００玉」を入力した状態を示している。
【００３１】
図１（ｃ）に示した状態で「開始」ボタンの操作が行われたならば、台間カード処理機１０は、図１（ｄ）に示すように、「以下の個数を貯玉に移行します」とのメッセージと指定個数「９００玉」とを表示し、後述する会員管理装置５０が管理する貯玉数「５０玉」に「９００玉」を加算させる。貯玉数への加算が正常に終了すると、台間カード処理機１０は、図１（ｅ）に示すように、「貯玉しました」とのメッセージと、指定個数「９００玉」と、貯玉結果として持玉数「０玉」、遊技可能数「１５玉」、貯玉数「９５０玉」を表示して、貯玉への移行を終了する。なお、この場合、貯玉の場合に遊技可能数を優先して残存させる設定がなされているため、「１５玉」が遊技可能数に残存する例を示しているが、これに限らず、持玉数を優先して残存させる設定をすることもできる。この設定は、上位装置において従業員により設定されるが、遊技客が設定できるようにしてもよい。
【００３２】
ここで、「貯玉移行」ボタンが操作されてから「開始」ボタンが操作されるまでの間に、持玉や遊技可能数に影響を与える状態が発生した場合には、台間カード処理機１０は、貯玉を行わず、図１（ａ）に示したメニュー画面に戻る。遊技客の意図した貯玉への移行を適正に行えない可能性があるためである。
【００３３】
具体的には、台間カード処理機１０は、「計数検知」、「遊技玉のアウト又は発射」、「遊技機の不正検知」、「持玉再プレイ操作受付」などの状態が発生した場合に、貯玉への移行を中止する。なお、計数とは、遊技可能数を持玉に移行させる処理である。遊技玉の発射とは、遊技機２０が遊技玉を遊技盤面に投出する処理であり、遊技可能数の減算を伴う。遊技玉のアウトとは、投出された遊技玉が遊技盤面の外に出たことを示し、遊技が行われているために遊技可能数が変動する可能性がある。遊技機の不正検知とは、遊技機２０がなんらかの不正操作を検知した場合である。持玉再プレイ操作とは、持玉の一部又は全てを遊技可能数に移行させるための操作である。
【００３４】
このように、台間カード処理機１０は、貯玉への移行に係る第１の操作（「貯玉移行」ボタンの操作）を受け付けてから貯玉への移行の実行に対応する第２の操作（「開始」ボタンの操作）を受け付けるまでの間に、貯玉への移行の対象となる持玉や遊技可能数に影響する所定の状態が発生したか否かを判定し、かかる状態が発生した場合には貯玉への移行を抑制する。このため、遊技客の意図と相違するなどの不都合の発生を防ぎ、貯玉への円滑な移行を実現して利便性を向上することができる。
【００３５】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、賞品管理装置６０と、精算機８０とが接続される。
【００３６】
遊技機２０は、装置内部に封入された遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技盤面には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域を設けることもできる。
【００３７】
上記入賞領域には、当該入賞領域への遊技玉の通過を検出するための入賞センサが設けられており、この入賞センサにより入賞領域へ打ち込まれた遊技玉の通過（入賞）を検知するようになっている。また、遊技機２０の制御部は、入賞領域ごとに賞玉として付与する遊技玉の個数を記憶する賞玉メモリと、遊技客が投出可能な玉数を示す遊技可能数メモリを有している。
【００３８】
したがって、打ち込んだ遊技玉の特定の入賞領域への通過が入賞センサにより検知されると、遊技機２０は、賞玉メモリの記憶内容と、入賞領域を通過した遊技玉数とから、付与すべき賞玉数を決定し、決定した賞玉数の払出処理を行うことができる。
【００３９】
封入式の遊技機２０では、賞玉数の払出処理は、賞玉数を遊技可能数メモリにおいて記憶していた遊技可能数に加算して記憶内容を更新することで行う。また、遊技可能数を台間カード処理機１０の持玉数として移行させる場合には、遊技可能数メモリに保持している遊技可能数を台間カード処理機１０に通知して、遊技可能数をゼロにクリアする。さらに、台間カード処理機１０から玉貸操作等による遊技可能数加算の通知を受けた場合には、通知された玉数を遊技可能数に加算して記憶内容を更新する。
【００４０】
台間カード処理機１０は、入金の受け付け、遊技玉の貸し出し、カード管理装置４０との通信、並びに遊技機２０との通信を行う。台間カード処理機１０は、遊技客により投入された紙幣を受け付けたならば、この紙幣の金額を含む入金通知データをカード管理装置４０に送信し、カード管理装置４０が管理するプリペイド価値に金額に応じた数を加算させる。そして、所定の玉貸操作がなされたならば、玉貸要求をカード管理装置４０に送信し、カード管理装置４０が管理するプリペイド価値を減算させて、減算されたプリペイド価値に対応する数の遊技玉の払出処理を行う。
【００４１】
封入式の遊技機２０では、玉貸に基づく遊技玉の払出処理は、減算したプリペイド価値分に対応する数を遊技機２０に通知し、遊技可能数に加算させることで行う。
【００４２】
また、台間カード処理機１０は、カードの挿入を受け付けたならば、カード管理装置４０にカード挿入通知データを送信する。また、台間カード処理機１０は、カード管理装置４０からプリペイド価値、持玉数、貯玉数を含むデータを受信したならば、受信したプリペイド価値、持玉数、貯玉数を記憶する。そして、持玉数を記憶したならば、台間カード処理機１０は、カード管理装置４０に対して持玉減算要求データを送信することで、カード管理装置４０が管理する持玉数をゼロにクリアする。
【００４３】
また、台間カード処理機１０は、持玉再プレイ操作を受け付けると、自装置に記憶した持玉数から所定数を減算し、減算した持玉数に対応する数の遊技玉の払出処理を行う。また、台間カード処理機１０は、貯玉再プレイ操作を受け付けると、カード管理装置４０に対して貯玉再プレイ要求データを送信することで、会員管理装置５０が管理する貯玉数から所定数を減算させ、減算させた貯玉数に対応する数の遊技玉の払出処理を行う。持玉再プレイ及び貯玉再プレイに基づく遊技玉の払出処理ついても、対応する数を遊技機２０に通知し、遊技可能数に加算させることで行う。
【００４４】
また、台間カード処理機１０は、カード返却操作を受け付けたならば、自装置が管理する持玉数を含む持玉加算要求データをカード管理装置４０に送信し、カード管理装置４０に持玉数を加算させた後、カード排出通知データをカード管理装置４０に送信し、カードを排出制御する。なお、カード返却操作の前に、遊技機２０から遊技可能数の移行操作を受け付けた場合には、移行した遊技可能数を持玉数に加算して、カード管理装置４０の持玉数を更新する。
【００４５】
また、台間カード処理機１０は、遊技機２０から遊技機ＩＤを取得し、取得した遊技機ＩＤと、カード管理装置４０から受信した認証鍵とを用いて遊技機２０の認証を行なう機能を有する。この認証は、開店処理時等に行なわれ、認証の成功を条件に遊技機２０は遊技可能となる。
【００４６】
島コントローラ３０は、遊技島に設けられた一群の遊技機２０及び台間カード処理機１０を束ねる中継装置である。
【００４７】
カード管理装置４０は、カードのプリペイド価値及び持玉数等をカードデータとして管理する装置である。カード管理装置４０は、台間カード処理機１０からカード挿入通知データを受信したならば、挿入されたカードのカードＩＤと台間カード処理機１０の装置ＩＤとを関連づけて管理し、該カードＩＤに関連づけられたプリペイド価値及び持玉数を台間カード処理機１０に送信する。また、カード挿入通知データに示されたカードＩＤが会員カードのカードＩＤである場合には、カード管理装置４０は、カード挿入通知データを会員管理装置５０に送信し、会員管理装置５０から受信した貯玉再プレイデータを台間カード処理機１０に送信する。
【００４８】
また、カード管理装置４０は、台間カード処理機１０から持玉減算要求データを受信した場合には、持玉数をゼロクリアする。また、カード管理装置４０は、台間カード処理機１０から持玉加算要求データを受信した場合には、持玉加算要求データに含まれる持玉数をカード管理装置４０が管理する持玉数に加算する。
【００４９】
また、カード管理装置４０は、台間カード処理機１０から玉貸要求データを受信したならば、カードＩＤに関連付けられたプリペイド価値を所定値減算し、玉貸許可データを台間カード処理機１０に送信する。そして、貯玉再プレイ要求データを受信したならば、該貯玉再プレイ要求データを会員管理装置５０に送信し、会員管理装置５０が貯玉再プレイデータを出力したならば、貯玉再プレイデータを台間カード処理機１０に送信する。
【００５０】
また、カード管理装置４０は、賞品管理装置６０からカードＩＤを受信したならば、このカードＩＤに関連付けられた持玉数を賞品管理装置６０に対して通知する。さらに、精算機８０からカードＩＤを受信したならば、このカードＩＤに関連付けられたプリペイド価値を精算機８０に対して通知する。
【００５１】
また、カード管理装置４０は、台間カード処理機１０から遊技機ＩＤを取得し、自店舗に設置された遊技機２０を管理する。そして、遊技店外の認証鍵管理センタから自店舗に設定された遊技機２０を認証するための認証鍵を取得し、台間カード処理機１０に配信する。
【００５２】
会員管理装置５０は、遊技店に会員登録された会員の会員管理データを管理する管理装置である。具体的には、会員に対して発行した会員カードＩＤに関連付けて、貯玉数、ポイント数、暗証番号及び氏名等を管理する。
【００５３】
会員管理装置５０は、台間カード処理機１０からカード挿入通知データを受信したならば、カード挿入通知データに示されたカードＩＤに関連付けられた貯玉数及び暗証番号を含む貯玉再プレイデータを台間カード処理機１０に送信する。また、会員管理装置５０は、台間カード処理機１０から貯玉再プレイ要求データを受信したならば、貯玉再プレイ要求データに示されたカードＩＤに関連づけられた貯玉数からを所定数を減算し、減算後の貯玉数を含む貯玉再プレイデータを台間カード処理機１０に送信する。なお、台間カード処理機１０と会員管理装置５０との通信は、カード管理装置４０を介して行なわれる。
【００５４】
また、会員管理装置５０は、賞品管理装置６０から貯玉数の問い合わせを受けたならば、指定されたカードＩＤに対応する貯玉数を賞品管理装置６０に通知する。
【００５５】
賞品管理装置６０は、遊技店内の賞品交換カウンタに併設された賞品交換用の端末装置であり獲得玉、貯玉数及び持玉数を賞品に交換する賞品交換処理を行う。この賞品管理装置６０には、カードからカードＩＤを読み取るカードリーダ及び賞品を払い出す賞品払出装置が接続されている。賞品管理装置６０は、一般カード又は会員カードからカードＩＤを読み出した場合（若しくは、携帯端末等からカードＩＤに対応する識別データを読み出した場合）には、カードＩＤをカード管理装置４０に送信して、該カードＩＤの持玉数を要求する。また、貯玉数を賞品交換する場合は、会員管理装置５０に対して貯玉数を要求する。
【００５６】
精算機８０は、プリペイド価値が関連付けられたカードが挿入されると、このカードのカードＩＤをカード管理装置４０に送信し、その応答データを受信することにより、カードに関連付けられたプリペイド価値を取得し、取得したプリペイド価値に応じて貨幣を払い出す。
【００５７】
次に、図２に示した遊技システムの玉貸処理について説明する。遊技客が台間カード処理機１０に対して玉貸操作を行うと、台間カード処理機１０は、カード管理装置４０に玉貸要求データを送信する。この玉貸要求データは、台間カード処理機１０に挿入されているカードのカードＩＤと、送信元である台間カード処理機１０を特定するアドレス若しくは任意の識別データを含む。
【００５８】
カード管理装置４０は、玉貸要求データを受信すると、玉貸要求データのカードＩＤに関連付けられたプリペイド価値から所定値を減算する。そして、カード管理装置４０は玉貸許可データを送信元の台間カード処理機１０に送信する。玉貸許可データを受信した台間カード処理機１０は、減算したプリペイド価値に対応する遊技玉数の払出処理を行う。
【００５９】
次に、図２に示した遊技システムで持玉の再プレイを行う場合の持玉再プレイ処理について説明する。台間カード処理機１０は、一般カードあるいは会員カードの挿入を受け付けたならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００６０】
カード管理装置４０は、台間カード処理機１０からカード挿入通知データを受信したならば、該カード挿入通知データ内のカードＩＤに関連付けられた各レートの持玉数を台間カード処理機１０に通知する。
【００６１】
台間カード処理機１０は、カード管理装置４０から受信した持玉数を記憶する。そして、カードＩＤ、レートを特定するデータ及び持玉数をゼロクリアする旨を示す持玉減算要求データをカード管理装置４０に送信する。カード管理装置４０は、持玉減算要求データを受信したならば、カードＩＤにより特定される各レートの持玉数をゼロクリアする。また、台間カード処理機１０は、持玉再プレイ操作を受け付けて持玉再プレイを行う場合には、記憶した持玉数から所定数を減算し、対応する遊技玉数の払出処理を行う。ここで、台間カード処理機１０は、自機のレート以外の持玉数が存在する場合であって、自機のレート以外の持玉数を使用しての持玉再プレイが許可される設定がされている場合には、遊技客の操作に応じて、自機のレート以外の持玉数を自機のレートの持玉数に換算して持玉再プレイを行うことができる。ここで、他のレートの遊技媒体１個あたりの単価Ａ、自機のレートの単価をＢとすると、他のレートの持玉Ｘ個を減算してＸ×（Ａ／Ｂ）個の払出処理を行うことができる。
【００６２】
台間カード処理機１０は、遊技機２０の遊技可能数を台間カード処理機１０の持玉とすることでその管理を移行させる管理移行要求データを遊技機２０から受信したならば、管理移行要求データに示された遊技可能数を自装置の持玉数に加算する。その後、カード返却操作を受け付けたならば、台間カード処理機１０は、カード管理装置４０に対して持玉加算要求データを送信する。この持玉加算要求データは、カード返却の対象となるカードのカードＩＤと、送信元である台間カード処理機１０を特定するアドレス若しくは任意の識別データと、各レートの持玉数とを含む。
【００６３】
台間カード処理機１０は、カード返却操作を受け付けたならば、カード管理装置４０に対して持玉加算要求データを送信する。この持玉加算要求データは、カード返却の対象となるカードのカードＩＤと、送信元である台間カード処理機１０を特定するアドレス若しくは任意の識別データと、各レートの持玉数とを含む。
【００６４】
カード管理装置４０は、持玉加算要求データを受け付けたならば、カードＩＤに関連付けられた各レートの持玉数に持玉加算要求データに含まれる持玉数を加算する。その後、台間カード処理機１０は、カード管理装置４０にカード排出通知データを送信する。
【００６５】
次に、図２に示した遊技システムでの貯玉再プレイ処理について説明する。台間カード処理機１０は、会員カード又は会員カードとして使用可能な携帯端末からカードＩＤを読み取ったならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００６６】
カード管理装置４０は、台間カード処理機１０から受信したカード挿入通知データを会員管理装置５０に送信する。会員管理装置５０は、カード挿入通知データを受信したならば、該カード挿入通知データ内のカードＩＤに関連付けられた暗証番号と、貯玉のうち、該カード挿入通知データにより特定されたレートの貯玉数と、貯玉再プレイの可能数を含む貯玉再プレイデータを台間カード処理機１０に送信する。貯玉再プレイの可能数は、貯玉再プレイを行うことのできる回数を示し、貯玉再プレイにおける遊技玉の払出単位数で貯玉数を除算した商にあたる。ただし、貯玉再プレイに上限が設定されている場合には、この上限により貯玉再プレイの可能数は制限される。
【００６７】
台間カード処理機１０は、受信した貯玉再プレイデータを記憶し、貯玉再プレイデータに示された貯玉再プレイの可能数が１以上である場合には貯玉再プレイ操作を受け付け可能とする。
【００６８】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するか否かを判定する。
【００６９】
台間カード処理機１０は、暗証番号が一致した場合に、カード管理装置４０に貯玉再プレイ要求データを送信する。この貯玉再プレイ要求データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００７０】
カード管理装置４０は、貯玉再プレイ要求データを会員管理装置５０に送信する。会員管理装置５０は、貯玉再プレイ要求データを受信したならば、該貯玉再プレイ要求データ内のカードＩＤに関連付けられた貯玉のうち、該電文により特定されたレートの貯玉の残高を所定値減算し、貯玉再プレイの可能数を再計算する。そして、減算後の残高と貯玉再プレイの可能数とを含む貯玉再プレイデータを台間カード処理機１０に送信する。
【００７１】
台間カード処理機１０は、記憶する貯玉数を更新し、貯玉再プレイの払出単位数分の遊技玉数の払出処理を行う。ここで、台間カード処理機１０は、自機のレート以外の貯玉数が存在する場合であって、自機のレート以外の貯玉数を使用しての貯玉再プレイが許可される設定がされている場合には、持玉再プレイの場合と同様、遊技客の操作に応じて、自機のレート以外の貯玉数を自機のレートの貯玉数に換算して貯玉再プレイを行うことができる。また、台間カード処理機１０は、払出処理の後、更新後の貯玉再プレイの可能数が１以上であるかを判定する。貯玉再プレイの可能数が０であれば、貯玉再プレイ操作を受付不可とする。更新後の貯玉再プレイの可能数が１以上であれば、再度貯玉再プレイ操作を受付可能とする。２回目以降の貯玉再プレイでは、暗証番号の確認は不要である。なお、暗証番号の確認を毎回行うようにしてもよい。また、ここでは会員管理装置５０が貯玉の残高を減算した後、台間カード処理機１０が遊技玉の払出処理を行う場合を例示したが、貯玉再プレイ要求に基づいて遊技玉の払出処理を行った後に、貯玉の残高を減算してもよい。貯玉再プレイ要求前の貯玉再プレイデータに、貯玉再プレイの可能数が示されており、貯玉再プレイ要求を受け付けた後に残高不足が判明する事態とはならないためである。
【００７２】
次に、閉店処理における持玉からの貯玉への移行について説明する。カード管理装置４０は、閉店処理時にカード管理データの持玉数を確認し、ゼロより大きい持玉数が関連付けられたレコードが存在する場合には、該レコードの持玉数をカードＩＤ及びレートとともに会員管理装置５０に通知する。会員管理装置５０は、カードＩＤ及びレートにより特定される貯玉数にカード管理装置４０から通知された持玉数を加算する。その後、カード管理装置４０は、該持玉数をゼロクリアする。
【００７３】
次に、図２に示した台間カード処理機１０及び遊技機２０の外観について説明する。図３は、台間カード処理機１０及び遊技機２０の外観を示す図である。また、図３では、紙幣のみを受け付ける台間カード処理機１０を図示したが、硬貨受付用のユニットを設けることもできる。
【００７４】
図３に示すように台間カード処理機１０は、状態表示部１１、紙幣挿入口１２ａ、表示操作部１３、表示操作部２２、カード挿入口１４ａ及びかざし部１４ｂを有する。
【００７５】
状態表示部１１は、台間カード処理機１０の装置の状態を所定色のランプの点灯あるいは点滅で表示する。紙幣挿入口１２ａは、遊技玉の貸出に必要な各種紙幣の挿入口である。表示操作部１３は、タッチパネル式の液晶ディスプレイ等の操作ボタンの表示や操作ボタンによる入力操作を受け付けるデバイスである。
【００７６】
カード挿入口１４ａは、遊技客の所持するカードの挿入口である。かざし部１４ｂは、会員登録に用いられた携帯端末をかざす部位であり、かざし部１４ｂに携帯端末がかざされると、携帯端末から携帯端末の固有ＩＤ（例えばＩＤｍ）等のデータが読み取られる。
【００７７】
表示操作部２２は、タッチパネルディスプレイ等の表示装置であり、遊技機２０の前面に位置しているものの、その入出力の制御は台間カード処理機１０によって行われる。表示操作部２２は、持玉の残高等の各種情報の表示と、表示切替操作等の各種操作の受け付けを行なうタッチパネルディスプレイ等の入出力装置である。
【００７８】
遊技機２０には、遊技盤面と、封入された遊技玉を遊技盤面に投出する際に使用するハンドル２１と、計数ボタン２３とが設けられている。
【００７９】
計数ボタン２３は、遊技機２０の遊技可能数を減算し、対応する数を台間カード処理機１０の持玉に加算することで、投出可能な玉数の管理を遊技機２０から台間カード処理機１０に移行させる管理移行を行うための操作ボタンである。この管理移行は、入賞により現物の遊技玉が払い出される開放式の遊技機では、払い出された遊技玉を台間カード処理機１０が計数して持玉に加算する計数処理に対応する。
【００８０】
次に、図２に示した台間カード処理機１０及び遊技機２０の構成について説明する。図４は、図２に示した台間カード処理機１０及び遊技機２０の構成を示す機能ブロック図である。図４に示すように、台間カード処理機１０は、紙幣搬送部１２と、表示操作部１３と、リーダライタ１４と、かざし部１４ｂと、通信部１５と、遊技管理部１８と、記憶部１６と、制御部１７と、表示操作部２２とを有する。
【００８１】
紙幣搬送部１２は、紙幣挿入口１２ａから挿入された紙幣の金種及び真偽を判別しつつ図示しない紙幣収納部に搬送する搬送部である。表示操作部１３は、玉貸に使用可能なプリペイド価値、持玉数、貯玉数等の各種情報の表示と、玉貸操作等の各種操作の受付を行なうタッチパネル式の液晶ディスプレイ等の入出力装置である。
【００８２】
リーダライタ１４は、カード挿入口１４ａに挿入されたカードからカードＩＤを読み取る装置である。なお、カード挿入口１４ａに挿入されたカードは、このリーダライタ１４を経て図示しないカード収納部に収納される。かざし部１４ｂは、携帯端末等がかざされた場合に、近距離無線通信により携帯端末の固有ＩＤ（例えばＩＤｍ）等の各種情報を読み取るインタフェース部であり、遊技客が所持する携帯端末に関連付けられた貯玉数の再プレイ等に利用される。また、リーダライタ１４は、遊技客の返却操作に応じて、カード収納部に収納されたカードにカードデータ１６ｂに示される持玉やプリペイド価値等の有価価値を関連付けて新たなカードとして発行する機能も有している。ただし、カードデータ１６ｂに示されるプリペイド価値が０であって、持玉数が一定数に満たない場合には、返却操作があってもカードを返却しないように制御する。これは、少量の持玉を関連付けたカードが破棄されることにより、遊技場に損失が生じるのを抑止するための制御である。一定数としては、例えば持玉数に玉１個あたりの貸出単価を乗算した値がカードの価額あるいは遊技場内の最低価格の賞品となるように設定することができるが、これに限らず、遊技場の方針によって自由に設定できる。また、返却操作があってもカードを返却しないように制御する場合に、記憶している持玉を遊技機２０に遊技可能数として送信することもできるが、カードが返却できない旨と持玉の再プレイを促す表示を行ってもよい。
【００８３】
通信部１５は、遊技機２０及び島コントローラ３０などとの間のデータ通信を行なうためのインタフェース部である。
【００８４】
記憶部１６は、ハードディスク装置や不揮発性メモリ等からなる記憶デバイスである。記憶部１６は、自装置状態データ１６ａ、カードデータ１６ｂ及び貯玉移行制御データ１６ｃを記憶する。
【００８５】
自装置状態データ１６ａは、台間カード処理機１０の状態を示すデータである。この自装置状態データ１６ａには、台間カード処理機の装置ＩＤと、遊技設定とを含む。台間カード処理機の装置ＩＤは、台間カード処理機１０を遊技店内で一意に識別するための識別データである。遊技設定は、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」、０．５円レートの遊技玉に「玉４」というように、レート毎に遊技種名を設定して管理する。台間カード処理機１０は、これらの遊技種から遊技に使用するレートを選択して、遊技設定として記憶する。
【００８６】
カードデータ１６ｂは、遊技客が使用中のカードに係るデータである。カードデータ１６ｂは、カードＩＤ、プリペイド価値、持玉、貯玉、貯玉再プレイの可能数等を含む。カードＩＤは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードデータ１６ｂが更新される。また、カード挿入口１４ａから図示しないカード収納部にカードが搬送される場合にも、この搬送途中でリーダライタ１４により読み取られたカードＩＤによってカードデータ１６ｂが更新される。
【００８７】
貯玉移行制御データ１６ｃは、持玉や遊技可能数の貯玉への移行に係る処理を制御するためのデータである。貯玉移行制御データ１６ｃは、貯玉への移行時に玉数の指定を許可するか否か、貯玉への移行への抑制についての判定を行うタイミング、貯玉への移行への抑制についての判定条件、抑制の具体的な動作を規定する。
【００８８】
遊技管理部１８は、認証や遊技機２０との通信に係る処理を行なう処理部である。この、遊技管理部１８は、制御部１７と異なる基板上に形成することが望ましい。遊技管理部１８は、認証処理部１８ａ、認証鍵管理部１８ｂ及び遊技機状態管理部１８ｃを有する。
【００８９】
認証処理部１８ａは、カード管理装置４０から受信した認証鍵を使用して遊技機２０の認証を実施する。認証処理部１８ａは、認証が成功したならば、遊技機２０へ動作許可を送信する。認証処理部１８ａは、認証が失敗した場合であっても、最後の認証成功から所定期間内であれば遊技機２０への動作許可を送信するが、最後の認証成功から所定期間が経過した後は遊技機２０への動作許可を送信せず、遊技機２０の使用を禁止する。認証処理部１８ａは、認証の成否などの認証の結果をカード管理装置４０に送信すると共に、表示操作部１３に適宜表示制御する。
【００９０】
認証鍵管理部１８ｂは、認証鍵の管理を行なう処理部である。認証鍵には使用時間が設定されており、遊技機２０の稼働時間の累計が認証鍵の使用時間に達した場合に該認証鍵は使用不能となる。具体的には、認証鍵管理部１８ｂは、遊技管理部１８が形成された基板の通電時間を遊技機２０の稼働時間として用い、認証鍵の使用時間を管理している。認証鍵が使用不能となった場合には、認証鍵管理部１８ｂは、カード管理装置４０を介して認証鍵管理センタから新たな認証鍵を取得し、認証鍵の更新を行なう。
【００９１】
遊技機状態管理部１８ｃは、遊技機２０と通信し、遊技機２０の状態を管理する処理部である。具体的には、遊技機状態管理部１８ｃは、遊技機２０からの遊技機ＩＤの取得、玉貸による遊技可能数への加算要求の送信、持玉再プレイによる持玉から遊技可能数への管理移行要求の送信、貯玉再プレイによる遊技可能数への加算要求の送信、遊技機２０における打込玉数や賞出玉数等の遊技結果の受信、計数による遊技可能数から持玉への管理移行要求の受信を行なう。また、遊技機状態管理部１８ｃは、遊技機２０の遊技可能数を参考値として定期的に取得する。遊技機状態管理部１８ｃが取得した遊技可能数は、表示操作部１３などに表示制御することができる。なお、台間カード処理機１０と遊技機２０との通信は、所定の暗号方式を用いた暗号通信を用いる。
【００９２】
なお、遊技機状態管理部１８ｃは、遊技機２０の現在の遊技可能数や、「大当り」などの遊技に設定された状態をさらに取得することとしてもよい。遊技機状態管理部１８ｃが遊技機２０の状態を取得する時間間隔は、遊技機２０において遊技玉が発射（使用）される間隔よりも短く設定することが望ましい。
【００９３】
制御部１７は、台間カード処理機１０の全体を制御する制御部であり、データ管理部１７ａ、遊技設定処理部１７ｂ、貯玉移行処理部１７ｃ、貯玉移行判定部１７ｄ及び貯玉移行抑制部１７ｅを有する。
【００９４】
データ管理部１７ａは、カードが挿入された場合に、自装置状態データ１６ａの装置ＩＤと、カードデータ１６ｂのカードＩＤとを含むカード挿入通知データをカード管理装置４０に送信する。また、データ管理部１７ａは、カード管理装置４０から有価価値（プリペイド価値、持玉数及び貯玉数の少なくともいずれか）を含むデータを受信した場合に、受信した有価価値によりカードデータ１６ｂを更新する。データ管理部１７ａは、カードデータ１６ｂに示されたプリペイド価値、持玉数及び貯玉数を適宜表示操作部１３に表示制御する。
【００９５】
また、データ管理部１７ａは、紙幣挿入口１２ａに紙幣が挿入されると、挿入された紙幣の金額、カードＩＤ及び台間カード処理機ＩＤを含む入金通知データをカード管理装置４０に送信する。
【００９６】
また、データ管理部１７ａは、遊技客により玉貸操作が行なわれた場合に、カードＩＤ及び装置ＩＤを含む玉貸要求データをカード管理装置４０に送信する。この玉貸要求データへの応答として玉貸許可データを受信したならば、データ管理部１７ａは、所定数の玉数を遊技機２０の遊技可能数に加算させるよう遊技管理部１８に指示することで払出処理を行う。
【００９７】
また、データ管理部１７ａは、遊技客により持玉再プレイ操作が行なわれた場合に、カードデータ１６ｂに示された持玉数から所定数を減算し、対応する玉数を遊技機２０の遊技可能数に加算させるよう遊技管理部１８に指示することで払出処理を行う。
【００９８】
また、データ管理部１７ａは、カードデータ１６ｂに示された貯玉再プレイの可能数が１以上である場合には、表示操作部１３に貯玉再プレイボタンを表示し、貯玉再プレイ操作を受付可能とする。データ管理部１７ａは、遊技客により貯玉再プレイ操作が行なわれた場合に、カードＩＤ及び台間カード処理機ＩＤを含む貯玉再プレイ要求データを会員管理装置５０に送信する。この貯玉再プレイ要求データへの応答として貯玉再プレイデータを受信したならば、カードデータ１６ｂの貯玉数を更新し、貯玉再プレイの払出単位数を遊技機２０の遊技可能数に加算させるよう遊技管理部１８に指示することで払出処理を行う。なお、初回の貯玉再プレイ操作時には、暗証番号の入力を求め、カードデータ１６ｂに示された暗証番号と一致することを条件に貯玉再プレイ要求データ送信する。
【００９９】
また、データ管理部１７ａは、遊技管理部１８が遊技機２０から遊技玉の移行要求を受け付けた場合には、遊技管理部１８に指示された玉数をカードデータ１６ｂの持玉に加算して更新する。
【０１００】
また、データ管理部１７ａは、遊技客によりカード返却操作が行なわれた場合に、カードＩＤ、装置ＩＤ並びに持玉数を含む持玉加算要求データをカード管理装置４０に送信して、カードデータ１６ｂの持玉数をゼロクリアした後、カード排出通知データをカード管理装置４０に送信し、カードを排出する。
【０１０１】
遊技設定処理部１７ｂは、表示操作部１３又は表示操作部２２に対し、自装置状態データ１６ａの遊技設定に設定された現在の遊技種に対応するレートを表示するとともに、遊技客によるレートの選択を受け付ける設定がされている場合は、表示操作部１３又は表示操作部２２に対して選択可能なレートを表示する。遊技客が所望のレートを選択すると、遊技設定処理部１７ｂは、選択されたレートに対応する遊技種により自装置状態データ１６ａの遊技設定を更新する。一方、遊技客によるレートの選択を受け付ける設定がされていない場合は、遊技中には選択可能なレートは表示されない。この場合、従業員によるリモコン操作等を受け付け、認証を行ったことを条件として、選択可能なレートが表示される。従業員がレートを選択すると、遊技設定処理部１７ｂは、選択されたレートに対応する遊技種により自装置状態データ１６ａの遊技設定を更新する。また、この場合、カード管理装置４０等の上位装置から遊技種の選択を指示する信号があった場合には、選択可能なレートを表示することなく、指示された遊技種により自装置状態データ１６ａの遊技設定を更新する。
【０１０２】
貯玉移行処理部１７ｃは、持玉及び遊技可能数を貯玉に移行させる貯玉移行処理を行う処理部である。具体的には、貯玉移行処理部１７ｃは、カードデータ１６ｂに示されたカードＩＤが会員カードのカードＩＤであれば、表示操作部１３に「貯玉移行」ボタンを表示制御する。
【０１０３】
貯玉移行処理部１７ｃは、「貯玉移行」ボタンに対する操作を受け付けたならば、貯玉移行制御データ１６ｃを参照し、貯玉への移行時に玉数の指定を許可するか否かを示す移行玉数指定の値を読み取る。
【０１０４】
移行玉数指定「あり」、すなわち、貯玉への移行時に玉数の指定を許可する設定であれば、貯玉移行処理部１７ｃは、表示操作部１３に貯玉移行画面を表示制御する。この貯玉移行画面では、まず、「持玉全て」ボタンと「指定個数」ボタンが表示される。
【０１０５】
「指定個数」ボタンへの操作を受け付けると、貯玉移行処理部１７ｃは、貯玉に移行する遊技玉数の指定を受け付ける画面を表示操作部１３に表示制御し、入力された指定個数を貯玉移行の対象として決定する。ここで、貯玉に移行することのできる上限である貯玉可能数は、持玉と遊技可能数の合計である。すなわち、遊技客は、持玉と遊技可能数とを合わせて貯玉に移行させることができる。
【０１０６】
具体的には、指定個数の入力を受け付けると、貯玉移行処理部１７ｃは、遊技機２０に遊技可能数の返却要求を行う。遊技機２０は、遊技可能数の返却要求を受け付けたならば、その時点の遊技可能数を対象とする管理移行要求を台間カード処理機１０に通知し、遊技可能数をゼロにクリアする。そして、貯玉移行処理部１７ｃは、管理移行要求に示された遊技可能数を持玉数に加算する。かかる処理により、遊技可能数は持玉に移行して合算され、持玉と遊技可能数の合計を上限とした貯玉移行が可能となる。
【０１０７】
一方、「持玉全て」ボタンへの操作を受け付けた場合には、貯玉移行処理部１７ｃは、遊技設定に示された遊技種の持玉数全てを貯玉移行の対象として決定する。
【０１０８】
貯玉移行処理部１７ｃは、貯玉移行の対象となる玉数を決定した後、「開始」ボタンの操作が行われた場合に、貯玉移行処理を行う。
【０１０９】
貯玉移行処理では、貯玉移行処理部１７ｃは、貯玉移行の対象の玉数を持玉数から減算し、同数を同遊技種の貯玉に加算するよう会員管理装置５０に要求する。なお、遊技可能数を持玉に合算した上で貯玉移行を行い、貯玉移行後に持玉数が残った場合には、持玉数の残りを遊技可能数に戻してもよい。このとき、元の遊技可能数を上限として持玉数を遊技可能数に戻すことが好適である。
【０１１０】
貯玉移行後に持玉数が残った場合に、そのまま持玉とするか遊技可能数に戻すかは、遊技店側で任意に設定可能である。この設定は、上位装置（例えばカード管理装置４０）にて行うこととすればよい。また、かかる設定を遊技客が行うことができるようにしてもよい。
【０１１１】
このように、移行玉数指定「あり」の場合には、「貯玉移行」ボタンの操作のみで貯玉移行処理が実行されるのではなく、「開始」ボタンの操作により貯玉移行処理が実行されることになる。
【０１１２】
移行玉数指定「なし」、すなわち、貯玉への移行時に玉数の指定を許可しない設定であれば、貯玉移行処理部１７ｃは、遊技設定に示された遊技種の持玉数全てを貯玉移行の対象として決定し、貯玉移行処理を実行する。このように、移行玉数指定「なし」の場合には、「貯玉移行」ボタンの操作のみで貯玉移行処理を実行することができる。
【０１１３】
貯玉移行処理部１７ｃは、カードデータ１６ｂに示されたカードＩＤが一般カードのカードＩＤであれば、表示操作部１３に「ケータイ貯玉」ボタンを表示制御する。貯玉移行処理部１７ｃは、「ケータイ貯玉」ボタンに対する操作を受け付けたならば、貯玉移行制御データ１６ｃを参照し、移行玉数指定の値を読み取る。
【０１１４】
そして、移行玉数指定「あり」であれば、「貯玉移行」ボタンを操作された場合と同様に、貯玉移行の対象となる玉数を決定する。移行玉数指定「なし」であれば、「貯玉移行」ボタンを操作された場合と同様に、貯玉移行の対象となる玉数を決定するが、貯玉移行処理の実行は行わない。
【０１１５】
貯玉移行処理部１７ｃは、貯玉移行の対象となる玉数を決定した後、かざし部１４ｂにより携帯ＩＤｍを読み取り、該携帯ＩＤｍが会員カードのカードＩＤに関連付けられていた場合に、貯玉移行処理を実行する。すなわち、携帯ＩＤｍにより会員を特定することを貯玉移行処理の実行の条件とするのである。
【０１１６】
貯玉移行判定部１７ｄは、貯玉移行処理に係る第１の操作を受け付けてから貯玉移行処理の実行に対応する第２の操作を受け付けるまでの間に、貯玉移行処理の対象となる玉数に影響する所定の状態が発生したか否かを判定する処理部である。貯玉移行処理に係る第１の操作とは、例えば貯玉移行処理に係る最初の操作であり、具体的には「貯玉移行」ボタンの操作や「ケータイ貯玉」ボタンの操作である。そして、貯玉移行処理の実行に対応する第２の操作は、「開始」ボタンの操作や携帯ＩＤｍをかざし部１４ｂに読み取らせる操作である。この第１の操作と第２の操作により定まる判定のタイミングは、貯玉移行制御データ１６ｃに規定される。また、貯玉移行処理の対象となる玉数に影響する所定の状態についても、貯玉移行制御データ１６ｃに規定される。
【０１１７】
貯玉移行抑制部１７ｅは、貯玉移行判定部１７ｄにより所定の状態が発生したと判定された場合に、貯玉移行処理を抑制する処理部である。貯玉移行処理の抑制の具体的な動作は、貯玉移行制御データ１６ｃに規定される。例えば、抑制の動作として「貯玉移行取消」が規定されていたならば、貯玉移行処理に係るそれまでの操作は取り消され、元のメニュー画面に戻ることになる。また、抑制の動作として「貯玉移行中断」が規定されていたならば、所定の状態が解消するまで貯玉移行処理は保留され、所定の状態が解消した場合に貯玉移行処理が実行される。
【０１１８】
次に、遊技機２０の内部構成について説明する。遊技機２０は、通信制御部２４、演出制御部２５、遊技制御部２６及び遊技玉制御部２７を有する。通信制御部２４は、台間カード処理機１０との間のデータ通信を制御するための制御部である。台間カード処理機１０との通信は、所定の暗号方式を用いた暗号通信を用いる。
【０１１９】
通信制御部２４は、遊技機２０の起動時に、遊技制御部２６及び／又は遊技玉制御部２７に設けられる制御ＣＰＵから識別情報を読出し、識別情報が適切かどうかを確認し、適切であれば、台間カード処理機１０との通信を確立して待機状態となる。待機状態において、台間カード処理機１０から動作許可を受信したならば、演出制御部２５、遊技制御部２６及び遊技玉制御部２７を起動し、遊技可能な状態とする。
【０１２０】
遊技制御部２６は、遊技機２０による遊技を制御する制御部である。具体的には、遊技制御部２６は、ハンドル操作検出による遊技玉の遊技盤面への発射制御、遊技盤面における入賞口に入った遊技玉の検出、始動口に入った遊技玉による乱数（0〜65535の乱数値の中で、所定の範囲ごとに大当り、小当り、はずれの数値が割り当てられているもの）の取得及び抽選（特別図柄及び普通図柄）、遊技盤面に設けられる可動部材（チューリップ等）の制御、遊技盤面に設けられる特別図柄表示装置の表示制御、不正の虞がある異常（前枠が開いている、振動を検知した等）の検出及び上位装置への通知等を行う。
【０１２１】
遊技盤面には多数の障害釘が植設されており、ハンドル操作によって遊技盤面に発射された遊技玉は、障害釘の間を落下していき、入賞口、始動口に入賞するか、入賞せずに遊技盤面のアウト口から遊技盤面外に排出される。遊技玉が始動口に入賞したことにより抽選が行われ、大当りとなると、遊技盤面上の所定の入賞口を複数回開放状態に制御する大当り遊技が行われ、この入賞口への遊技玉の入賞が容易になることにより、遊技客に賞玉を付与する。
【０１２２】
また、大当りには、大当り遊技終了後、遊技客に所定の特典遊技を付与する特典付大当り遊技がある。特典付き大当り遊技には、確率変動大当りと時短大当りが含まれる。確率変動大当りと時短大当りは、それぞれ大当り後に特典遊技として確率変動遊技と時短遊技を付与するものである。時短遊技は、普通図柄抽選（上記する可動部材の開閉抽選）及び/又は特別図柄抽選（上記する遊技玉の入賞による大当り抽選）の変動時間（抽選処理を開始してから結果を表示するまでの時間）を短縮することにより、単位時間あたりの抽選回数を増大させ、単位時間あたりに大当りに当選する確率を高める特典遊技である。この特典遊技には、普通図柄の当選確率を高くする普通図柄確率変動を含んでいても良い。時短大当りによる時短遊技は、特別図柄抽選の抽選回数が大当り後所定の回数行われた場合に終了する。確率変動遊技については後述する。
【０１２３】
遊技制御部２６は、確率変動機能を有する。確率変動機能とは、抽選結果が大当りのうち、特に定められた乱数範囲になった場合に、次回抽選に用いる大当りの乱数範囲を変更する（一般的には１０倍程度にする）制御を行う機能である。確率変動遊技は、この変更された後の確率を用いて特別図柄抽選を行うものである。確率変動遊技は、次回大当り当選まで継続される。また、確率変動遊技と時短遊技を同時に付与してもよい。ただし、不測の遊技店の損害を予防するため、確率変動遊技あるいは時短遊技開始後、一定の遊技媒体を遊技客が獲得した場合は、打ち止め（一旦カードを排出し、賞品交換あるいは台移動を要求する）処理としてもよい。この場合、確率変動遊技状態になった後の遊技媒体獲得数を遊技機２０にて計数し、この計数値が所定値になった場合に遊技玉の発射を停止する等の遊技停止制御を行うことで実現できる。
【０１２４】
演出制御部２５は、遊技中の演出を制御する制御部であり、演出図柄抽選部２５ａ及び演出抽選部２５ｂを有する。演出図柄抽選部２５ａは、遊技制御部２６での特別図柄抽選に基づく、演出図柄（遊技盤面内の表示装置等の演出図柄表示装置で表示する図柄）の抽選（具体的には表示を最終的に７，７，７で止めるかどうかなど）を行う。
【０１２５】
演出抽選部２５ｂは、演出図柄による抽選結果を表示するまでに行う演出の種類の抽選（キャラクタが出てきてリーチ演出をするなど）を行う。かかる演出は、メインの抽選結果に対して選択される演出が異なるように設定される。
【０１２６】
演出制御部２５は、各演出の演出データを記憶する。さらに、演出制御部２５は、演出図柄表示装置の表示を制御し、演出実行時には、背景図柄データに演出データを重ねて演出表示を行う。また、確率変動時には、通常状態と異なる背景色データを設定する。
【０１２７】
遊技玉制御部２７は、遊技可能数を制御する制御部である。具体的には、遊技可能数を遊技可能数メモリ２７ａに記憶させ、遊技玉を発射する度に遊技可能数を「１」減算し、入賞により付与される賞玉数を遊技可能数に加算する。また、台間カード処理機１０より玉数を通知された場合には、通知された玉数を遊技可能数メモリ２７ａが記憶する遊技可能数に加算して、台間カード処理機１０に対して遊技可能数に加算した旨を示す確認信号を送信する。また、遊技玉制御部２７は、遊技機２０に封入された遊技玉（循環玉）のクリーニング制御を行うこともできる。
【０１２８】
また、遊技玉制御部２７は、遊技可能数メモリ２７ａに記憶された遊技可能数を定期的に台間カード処理機１０に送信する。この場合には、遊技玉制御部２７は、遊技可能数メモリ２７ａの内容をゼロクリアすることなく、遊技状態によって遊技可能数の更新を継続しつつ、台間カード処理機１０へデータ取得時点での遊技可能数の送信を行う。
【０１２９】
また、遊技機２０には、計数ボタン２３が設けられており、この計数ボタン２３が押下されたことを示す信号が遊技玉制御部２７に入力される。遊技玉制御部２７は、計数ボタン２３の押下操作を検出し、検出信号の立ち上がりから立ち下がりまでが一定時間未満であると、一定数ずつ（例えば１回の操作あたり１００玉）の遊技可能数のデータとともに、台間カード処理機１０に管理移行要求を送信する。そして、台間カード処理機１０の管理に移行した分の玉数を遊技可能数から減算（無効化）する。また、計数ボタン２３の押下操作を検出し、検出信号が立ち上がってから所定時間以上立ち下がりが検出されない場合には、検出信号が立ち上がった状態が一定時間続くごとに一定数ずつ（例えば５秒あたり２００玉）の遊技可能数のデータとともに、台間カード処理機１０に管理移行要求を送信する。そして、台間カード処理機１０の管理に移行した分の玉数を遊技可能数から減算（無効化）する。遊技可能数からの減算にあたっては、メモリに記憶した１の値から減算対象の値をディクリメントする方法や、メモリに記憶した値を減算後の値で更新し、減算前の値を削除あるいは論理削除して無効化する方法等が考えられるが、減算後の値が特定可能な状態であれば特に限定はされない。
【０１３０】
遊技制御部２６と遊技玉制御部２７とは、それぞれ個別の基板上に構成される。遊技制御部２６が構成された遊技制御基板と遊技玉制御部２７が構成された遊技玉制御基板は、それぞれ固有のＩＤを有する。遊技機２０は、遊技制御基板のＩＤと遊技玉制御基板のＩＤとを組合せ、遊技機ＩＤとして使用する。
【０１３１】
次に、台間カード処理機１０の記憶部１６に記憶されるデータの一例について説明する。図５は、台間カード処理機１０の記憶部１６に記憶されるデータの一例を説明するための説明図である。
【０１３２】
図５（ａ）に示す自装置状態データ１６ａは、台間カード処理機１０の装置ＩＤが「３００１」であり、台間カード処理機１０の遊技種として「玉３」が設定された状態を示している。
【０１３３】
図５（ｂ）に示すカードデータ１６ｂは、台間カード処理機１０に挿入されたカードのＩＤが「２００２」である状態を示している。なお、ここでは、カードＩＤの上１桁がカードの種別を示しており、上１桁が「１」のカードが一般カード、上１桁が「２」のカードが会員カードである。また、カードデータ１６ｂは、プリペイド価値が「２０００度数」である状態を示している。なお、ここではプリペイド価値の度数とは１度数が１円相当である。また、カードデータ１６ｂは、玉１の持玉数が「０玉」、玉２の持玉数が「０玉」、玉３の持玉数が「８７５玉」、玉４の持玉数が「５００玉」である状態を示している。
【０１３４】
また、カードデータ１６ｂは、貯玉再プレイ用の暗証番号が「７７７７」であり、貯玉再プレイの可能数が「１」であり、玉１の貯玉数が「２５０玉」であり、玉２の貯玉数が「０玉」であり、玉３の貯玉数が「５０玉」であり、玉４の貯玉数が「０玉」である状態を示している。また、図示していないが、カード管理装置４０では、カードＩＤに対応付けて、持玉、貯玉、プリペイド価値以外にカードの有効/無効を示す「ロック」フラグのＯＮ/ＯＦＦも記憶しており、カードの盗難が発覚した場合に従業員操作によってＯＮにされる。これらのデータもカードデータ１６ｂに含まれて記憶されている。さらに、この「ロック」フラグは機能（「貯玉使用」、「乗入」等）別にも設定できるようになっており、例えば遊技客の要望により「乗入」の機能だけを「ロック」の対象として、誤操作を防ぐことに用いることもできる。
【０１３５】
図５（ｃ）に示す貯玉移行制御データ１６ｃは、移行玉数指定、判定タイミング、判定条件、抑制動作を含む。移行玉数指定は、貯玉への移行時に玉数の指定を許可するか否かを示し、「あり」又は「なし」の値をとる。判定タイミングは、貯玉移行判定部１７ｄがどのタイミングで判定を行うかを示す。図５（ｃ）では、「貯玉移行」ボタンの操作から「開始」ボタンの操作までと、「ケータイ貯玉」ボタンの操作から会員ＩＤ読取までとが判定のタイミングとして規定されている。
【０１３６】
判定条件は、貯玉移行判定部１７ｄが貯玉移行処理の対象となる玉数に影響する所定の状態が発生したと判定するための条件である。図５（ｃ）では、計数検知、遊技玉のアウト又は発射、遊技機の不正検知、持玉再プレイ操作受付を条件として用いることが規定された状態を示している。
【０１３７】
抑制動作は、貯玉移行処理の抑制の具体的な動作を規定する。図５（ｃ）では、貯玉移行取消が抑制動作として規定されている。貯玉移行取消は、貯玉移行処理に係るそれまでの操作を取り消し、元のメニュー画面に戻る動作である。この他、貯玉移行中断を抑制動作として規定することもできる。貯玉移行中断は、所定の状態が解消するまで貯玉移行処理を保留し、所定の状態が解消した場合に貯玉移行処理を実行する動作である。
【０１３８】
次に、移行玉数指定「なし」で一般カードが挿入された状態での貯玉移行処理について説明する。図６は、移行玉数指定「なし」で一般カードが挿入された状態での貯玉移行処理の説明図である。図６に示すように、台間カード処理機１０に一般カードが挿入された状態では、表示操作部１３に図６（ａ）に示すメニュー画面が表示される。
【０１３９】
図６（ａ）に示すメニュー画面では、持玉が「８７５玉」であり、遊技可能数が「４０玉」である状態が示されている。また、このメニュー画面には、「持玉情報」ボタン及び「ケータイ貯玉」ボタンが表示されている。台間カード処理機１０は、「ケータイ貯玉」ボタンの操作を受け付けると、図６（ｂ）に示す貯玉移行画面を表示する。
【０１４０】
図６（ｂ）に示す貯玉移行画面では、「登録した携帯電話をかざしてください」とのメッセージが表示される。そして、遊技客がかざした携帯端末の携帯ＩＤｍをかざし部１４ｂが読み取ったならば、台間カード処理機１０は、持玉「８７５玉」の全てを貯玉への移行の対象とし、図６（ｃ）に示すように「以下の個数を貯玉に移行します」とのメッセージと持玉全数「８７５玉」とを表示し、会員管理装置５０が管理する貯玉数に「８７５玉」を加算させる。貯玉数への加算が正常に終了すると、台間カード処理機１０は、図６（ｄ）に示すように、「貯玉しました」とのメッセージと、移行玉数「８７５玉」と、貯玉結果として持玉数「０玉」、貯玉数「９２５玉」を表示して、貯玉への移行を終了する。移行後の貯玉数「９２５玉」は、移行前の貯玉数「５０玉」に移行玉数「８７５玉」を加算した値である。
【０１４１】
ここで、「ケータイ貯玉」ボタンが操作されてから携帯ＩＤｍを読み取るまでの間に、持玉や遊技可能数に影響を与える状態が発生した場合には、台間カード処理機１０は、貯玉を行わず、図６（ａ）に示したメニュー画面に戻る。具体的には、台間カード処理機１０は、「計数検知」、「遊技玉のアウト又は発射」、「遊技機の不正検知」、「持玉再プレイ操作受付」などの状態が発生した場合に、貯玉への移行を中止する。
【０１４２】
次に、移行玉数指定「あり」で一般カードが挿入された状態での貯玉移行処理について説明する。図７は、移行玉数指定「あり」で一般カードが挿入された状態での貯玉移行処理の説明図である。図７に示すように、台間カード処理機１０に一般カードが挿入された状態では、表示操作部１３に図７（ａ）に示すメニュー画面が表示される。
【０１４３】
図７（ａ）に示すメニュー画面では、持玉が「８７５玉」であり、遊技可能数が「４０玉」である状態が示されている。また、このメニュー画面には、「持玉情報」ボタン及び「ケータイ貯玉」ボタンが表示されている。台間カード処理機１０は、「ケータイ貯玉」ボタンの操作を受け付けると、図７（ｂ）に示す貯玉移行画面を表示する。
【０１４４】
図７（ｂ）に示す貯玉移行画面では、「貯玉方法を選択してください」とのメッセージとともに、「持玉全て」ボタンと「指定個数」ボタンが表示される。「持玉全て」ボタンへの操作を受け付けると、台間カード処理機１０は、持玉「８７５玉」を貯玉への移行の対象とする。
【０１４５】
一方、「指定個数」ボタンへの操作を受け付けると、台間カード処理機１０は、図７（ｃ）に示すように、貯玉に移行する遊技玉数の指定を受け付ける画面を表示する。貯玉に移行することのできる上限である貯玉可能数は、持玉と遊技可能数の合計値であり、図７（ｃ）の例では「９１５玉」となる。図７（ｃ）の画面では、指定個数を入力するための０〜９の数字ボタン、「取消」ボタン及び決定ボタンが表示されており、遊技客が貯玉に移行する指定個数として「９００玉」を入力した状態を示している。
【０１４６】
図７（ｃ）に示した状態で「決定」ボタンの操作が行われたならば、図７（ｄ）に示すように、「以下の個数を貯玉に移行します」とのメッセージと指定個数「９００玉」とが表示されるとともに、「登録した携帯電話をかざしてください」とのメッセージが表示される。そして、遊技客がかざした携帯端末の携帯ＩＤｍをかざし部１４ｂが読み取ったならば、台間カード処理機１０は、会員管理装置５０が管理する貯玉数に「９００玉」を加算させる。貯玉数への加算が正常に終了すると、台間カード処理機１０は、図７（ｅ）に示すように、「貯玉しました」とのメッセージと、指定個数「９００玉」、貯玉結果として持玉数「０玉」、遊技可能数「１５玉」、貯玉数「９５０玉」を表示して、貯玉への移行を終了する。移行後の貯玉数「９５０玉」は、移行前の貯玉数「５０玉」に指定個数「９００玉」を加算した値である。
【０１４７】
ここで、「ケータイ貯玉」ボタンが操作されてから携帯ＩＤｍを読み取るまでの間に、持玉や遊技可能数に影響を与える状態が発生した場合には、台間カード処理機１０は、貯玉を行わず、図７（ａ）に示したメニュー画面に戻る。具体的には、台間カード処理機１０は、「計数検知」、「遊技玉のアウト又は発射」、「遊技機の不正検知」、「持玉再プレイ操作受付」などの状態が発生した場合に、貯玉への移行を中止する。
【０１４８】
次に、貯玉移行処理における持玉数の管理の一例について説明する。図８は、会員カードが挿入された状態での貯玉移行処理における持玉数の管理の一例についての説明図である。
【０１４９】
図８では、まず、台間カード処理機１０が会員カードを受け付けて、該カードに対応付けられた持玉数をカードデータ１６ｂにて管理する。このカードデータに示された持玉数をカードデータ持玉という。図８では、カードデータ持玉の初期値が「１０００玉」である。
【０１５０】
持玉再プレイ操作を受け付けると、台間カード処理機１０は、カードデータ持玉を１２５玉減算し、遊技機２０の遊技可能数に１２５玉を加算させる要求を行う。この結果、カードデータ持玉は「８７５玉」、遊技可能数は「１２５玉」となる。その後、遊技可能数「１２５玉」のうち８５玉が使用され、遊技可能数は「４０玉」になっている。
【０１５１】
この状態で「貯玉移行」ボタンの操作を受け付け、指定個数「９００玉」の入力を受け付けたならば、台間カード処理機１０は、遊技機２０に遊技可能数の返却を求める要求を行う。この要求を受けた遊技機２０は、遊技可能数「４０」を台間カード処理機１０に通知し、遊技可能数をゼロにクリアする。
【０１５２】
台間カード処理機１０は、通知された遊技可能数「４０玉」をカードデータ持玉に加算し、カードデータ持玉は「９１５玉」となる。その後、台間カード処理機１０は、指定個数である「９００玉」を会員管理装置５０に通知し、貯玉に加算させる。図８では、移行前の貯玉が「５０玉」であるので、移行後の貯玉は「９５０玉」である。また、カードデータ持玉から指定個数である「９００玉」を減算するので、カードデータ持玉は「１５玉」となる。
【０１５３】
図９は、一般カードが挿入された状態での貯玉移行処理における持玉数の管理の一例についての説明図である。
【０１５４】
図９では、まず、台間カード処理機１０が一般カードを受け付けて、該カードに対応付けられた持玉数をカードデータ１６ｂにて管理する。このカードデータに示された持玉数をカードデータ持玉という。図９では、カードデータ持玉の初期値が「１０００玉」である。
【０１５５】
持玉再プレイ操作を受け付けると、台間カード処理機１０は、カードデータ持玉を１２５玉減算し、遊技機２０の遊技可能数に１２５玉を加算させる要求を行う。この結果、カードデータ持玉は「８７５玉」、遊技可能数は「１２５玉」となる。その後、遊技可能数「１２５玉」のうち８５玉が使用され、遊技可能数は「４０玉」になっている。
【０１５６】
この状態で「ケータイ貯玉」ボタンの操作を受け付け、携帯ＩＤｍを読み取ったならば、台間カード処理機１０は、カードデータ持玉の全数「８７５玉」を貯玉移行の対象とする。そして、台間カード処理機１０は、貯玉移行である「８７５玉」を会員管理装置５０に通知し、貯玉に加算させる。図９では、移行前の貯玉が「５０玉」であるので、移行後の貯玉は「９２５玉」である。また、台間カード処理機１０は、カードデータ持玉をゼロにクリアする。
【０１５７】
次に、会員カードが挿入された状態での貯玉移行処理に係る処理手順について説明する。図１０は、会員カードが挿入された状態での貯玉移行処理に係る処理手順を示すフローチャートである。まず、貯玉移行処理部１７ｃは、「貯玉移行」ボタンに対する操作である貯玉移行操作を受け付けたか否かを判定する（ステップＳ１０１）。貯玉移行操作を受け付けていなければ（ステップＳ１０１；Ｎｏ）、ステップＳ１０１に移行し、貯玉移行操作を待機する。
【０１５８】
貯玉移行操作を受け付けたならば（ステップＳ１０１；Ｙｅｓ）、貯玉移行処理部１７ｃは、貯玉移行制御データ１６ｃを参照し、移行玉数指定「あり」であるか否かを判定する（ステップＳ１０２）。そして、移行玉数指定「なし」であれば（ステップＳ１０２；Ｎｏ）、貯玉移行処理部１７ｃは、持玉の全数を貯玉移行の対象とし（ステップＳ１０３）、貯玉移行処理を実行して（ステップＳ１０４）、処理を終了する。
【０１５９】
移行玉数指定「あり」であれば（ステップＳ１０２；Ｙｅｓ）、貯玉移行処理部１７ｃは、移行玉数の指定を受け付ける画面を表示し（ステップＳ１０５）、遊技客の入力を受け付けて移行玉数を決定する（ステップＳ１０６）。このとき、移行玉数の上限は持玉と遊技可能数の合計値である。
【０１６０】
ステップＳ１０６の後、貯玉移行判定部１７ｄは、貯玉移行処理の対象となる玉数に影響する所定の状態が発生したか否かを判定する貯玉移行判定処理を行う（ステップＳ１０７）。貯玉移行判定処理の詳細については後述するが、所定の状態が発生した場合は「抑制条件成立」との結果が得られる。抑制条件成立との結果が得られた場合には（ステップＳ１０８；Ｙｅｓ）、貯玉移行抑制部１７ｅが、貯玉移行処理を抑制する処理を行い（ステップＳ１１０）、処理を終了する。このとき、どのように貯玉移行処理を抑制するかについては、貯玉移行制御データ１６ｃに従って決定される。
【０１６１】
抑制条件成立との結果が得られなければ（ステップＳ１０８；Ｎｏ）、貯玉移行処理部１７ｃは、「開始」ボタンに対する操作である開始操作を受け付けたか否かを判定する（ステップＳ１０９）。開始操作を受け付けていなければ（ステップＳ１０９；Ｎｏ）、ステップＳ１０７に移行し、貯玉移行判定処理を行う。そして、開始操作を受け付けたならば（ステップＳ１０９；Ｙｅｓ）、貯玉移行処理部１７ｃは、貯玉移行処理を実行して（ステップＳ１０４）、処理を終了する。
【０１６２】
次に、一般カードが挿入された状態での貯玉移行処理に係る処理手順について説明する。図１１は、一般カードが挿入された状態での貯玉移行処理に係る処理手順を示すフローチャートである。まず、貯玉移行処理部１７ｃは、「ケータイ貯玉」ボタンに対する操作であるケータイ貯玉操作を受け付けたか否かを判定する（ステップＳ２０１）。ケータイ貯玉操作を受け付けていなければ（ステップＳ２０１；Ｎｏ）、ステップＳ２０１に移行し、ケータイ貯玉操作を待機する。
【０１６３】
ケータイ貯玉操作を受け付けたならば（ステップＳ２０１；Ｙｅｓ）、貯玉移行処理部１７ｃは、貯玉移行制御データ１６ｃを参照し、移行玉数指定「あり」であるか否かを判定する（ステップＳ２０２）。そして、移行玉数指定「なし」であれば（ステップＳ２０２；Ｎｏ）、貯玉移行処理部１７ｃは、持玉の全数を貯玉移行の対象とする（ステップＳ２０３）。
【０１６４】
移行玉数指定「あり」であれば（ステップＳ２０２；Ｙｅｓ）、貯玉移行処理部１７ｃは、移行玉数の指定を受け付ける画面を表示し（ステップＳ２０４）、遊技客の入力を受け付けて移行玉数を決定する（ステップＳ２０５）。このとき、移行玉数の上限は持玉と遊技可能数の合計値である。
【０１６５】
ステップＳ２０３又はステップＳ２０５の後、貯玉移行判定部１７ｄは、貯玉移行処理の対象となる玉数に影響する所定の状態が発生したか否かを判定する貯玉移行判定処理を行う（ステップＳ２０６）。貯玉移行判定処理の詳細については後述するが、所定の状態が発生した場合は「抑制条件成立」との結果が得られる。抑制条件成立との結果が得られた場合には（ステップＳ２０７；Ｙｅｓ）、貯玉移行抑制部１７ｅが、貯玉移行処理を抑制する処理を行い（ステップＳ２１０）、処理を終了する。このとき、どのように貯玉移行処理を抑制するかについては、貯玉移行制御データ１６ｃに従って決定される。
【０１６６】
抑制条件成立との結果が得られなければ（ステップＳ２０７；Ｎｏ）、貯玉移行処理部１７ｃは、かざし部１４ｂが携帯ＩＤｍを読み取ったか否かを判定する（ステップＳ２０８）。携帯ＩＤｍを読み取っていなければ（ステップＳ２０８；Ｎｏ）、ステップＳ２０６に移行し、貯玉移行判定処理を行う。そして、携帯ＩＤｍを読み取ったならば（ステップＳ２０８；Ｙｅｓ）、貯玉移行処理部１７ｃは、貯玉移行処理を実行して（ステップＳ２０９）、処理を終了する。
【０１６７】
次に、貯玉移行判定処理の詳細について説明する。図１２は、貯玉移行判定処理の詳細な処理手順を示すフローチャートである。図１２に示すように、貯玉移行判定部１７ｄは、貯玉移行判定処理が開始されると、まず、遊技可能数を持玉に移行させる処理である計数を検知したか否かを判定する（ステップＳ３０１）。そして、計数を検知した場合には（ステップＳ３０１；Ｙｅｓ）、貯玉移行判定部１７ｄは、抑制条件成立との結果を出力して（ステップＳ３０５）、元の処理に戻る。
【０１６８】
計数を検知していなければ（ステップＳ３０１；Ｎｏ）、貯玉移行判定部１７ｄは、遊技玉のアウト又は発射を検知したか否かを判定する（ステップＳ３０２）。遊技玉のアウト又は発射を検知した場合には（ステップＳ３０２；Ｙｅｓ）、貯玉移行判定部１７ｄは、抑制条件成立との結果を出力して（ステップＳ３０５）、元の処理に戻る。
【０１６９】
遊技玉のアウト又は発射を検知していなければ（ステップＳ３０２；Ｎｏ）、貯玉移行判定部１７ｄは、遊技機２０における不正を検知したか否かを判定する（ステップＳ３０３）。遊技機２０における不正を検知した場合には（ステップＳ３０３；Ｙｅｓ）、貯玉移行判定部１７ｄは、抑制条件成立との結果を出力して（ステップＳ３０５）、元の処理に戻る。
【０１７０】
遊技機２０の不正を検知していなければ（ステップＳ３０３；Ｎｏ）、貯玉移行判定部１７ｄは、持玉再プレイ操作を受け付けたか否かを判定する（ステップＳ３０４）。持玉再プレイ操作を受け付けた場合には（ステップＳ３０４；Ｙｅｓ）、貯玉移行判定部１７ｄは、抑制条件成立との結果を出力して（ステップＳ３０５）、元の処理に戻る。また、持玉再プレイ操作を受け付けていなければ（ステップＳ３０４；Ｎｏ）、そのまま元の処理に戻る。
【０１７１】
上述してきたように、実施例１に係る台間カード処理機１０は、貯玉への移行に係る第１の操作（「貯玉移行」ボタンの操作や「ケータイ貯玉」ボタンの操作）を受け付けてから貯玉への移行の実行に対応する第２の操作（「開始」ボタンの操作や携帯ＩＤｍを読み取らせる操作）を受け付けるまでの間に、貯玉への移行の対象となる持玉や遊技可能数に影響する所定の状態が発生したか否かを判定し、かかる状態が発生した場合には貯玉への移行を抑制する。このため、遊技客の意図と相違するなどの不都合の発生を防ぎ、貯玉への円滑な移行を実現して利便性を向上することができる。
【０１７２】
また、台間カード処理機１０は、封入式の遊技機２０に併設され、遊技機２０が管理する遊技可能数も貯玉への移行対象とすることができる。また、遊技客から貯玉に移行する玉数の指定を受け付けることができる。このため、遊技客は、持玉と遊技可能数との合計を上限とし、任意の玉数を貯玉に移行可能である。
【実施例２】
【０１７３】
実施例２では、開放式の遊技機に併設された各台装置が持玉を貯玉に移行させる場合について説明を行う。ここで、開放式の遊技機とは、外部から投入された遊技玉を遊技盤面に発射し、賞玉については現物の遊技玉で払い出す遊技機である。
【０１７４】
図１３は、実施例２における貯玉への移行についての説明図である。図１３に示した遊技機１２０は開放式の遊技機であり、台間カード処理機１１０は、遊技機１２０に併設された各台装置である。
【０１７５】
台間カード処理機１１０に会員カードが挿入された状態では、台間カード処理機１１０の表示操作部１３に図１３（ａ）に示すメニュー画面が表示される。
【０１７６】
図１３（ａ）に示すメニュー画面では、持玉が「８７５玉」である状態が示されている。また、このメニュー画面には、「会員情報」ボタン、「持玉情報」ボタン及び「貯玉移行」ボタンが表示されている。
【０１７７】
「会員情報」ボタンは、会員カードのカードＩＤに対応付けられた会員に関する情報を表示させるための操作ボタンである。「持玉情報」ボタンは、カードＩＤに対応付けられた持玉に関する情報を表示させるための操作ボタンである。
【０１７８】
「貯玉移行」ボタンは、持玉と遊技可能数とを貯玉に移行させるための操作ボタンである。台間カード処理機１１０は、「貯玉移行」ボタンの操作を受け付けると、図１３（ｂ）に示す貯玉移行画面を表示する。
【０１７９】
図１３（ｂ）に示す貯玉移行画面では、「貯玉方法を選択してください」とのメッセージとともに、「持玉全て」ボタンと「指定個数」ボタンが表示される。「持玉全て」ボタンへの操作を受け付けると、台間カード処理機１１０は、持玉「８７５玉」を貯玉への移行の対象とする。
【０１８０】
一方、「指定個数」ボタンへの操作を受け付けると、台間カード処理機１１０は、図１３（ｃ）に示すように、貯玉に移行する遊技玉数の指定を受け付ける画面を表示する。貯玉に移行することのできる上限である貯玉可能数は、持玉数と同一であり、図１３（ｃ）の例では「８７５玉」となる。図１３（ｃ）の画面では、指定個数を入力するための０〜９の数字ボタン、「取消」ボタン及び「開始」ボタンが表示されており、遊技客が貯玉に移行する指定個数として「８００玉」を入力した状態を示している。
【０１８１】
図１３（ｃ）に示した状態で「開始」ボタンの操作が行われたならば、台間カード処理機１１０は、図１３（ｄ）に示すように、「以下の個数を貯玉に移行します」とのメッセージと指定個数「８００玉」とを表示し、会員管理装置５０が管理する貯玉数「５０玉」に「８００玉」を加算させる。貯玉数への加算が正常に終了すると、台間カード処理機１１０は、図１３（ｅ）に示すように、「貯玉しました」とのメッセージと、指定個数「８００玉」と、貯玉結果として持玉数「０玉」、貯玉数「８５０玉」を表示して貯玉への移行を終了する。
【０１８２】
ここで、「貯玉移行」ボタンが操作されてから「開始」ボタンが操作されるまでの間に、持玉や遊技可能数に影響を与える状態が発生した場合には、台間カード処理機１１０は、貯玉を行わず、図１３（ａ）に示したメニュー画面に戻る。遊技客の意図した貯玉への移行を適正に行えない可能性があるためである。
【０１８３】
具体的には、台間カード処理機１１０は、「計数検知」や「持玉再プレイ操作受付」などの状態が発生した場合に、貯玉への移行を中止する。なお、開放式の遊技機１２０に併設された台間カード処理機１１０において計数とは、遊技機１２０の上皿や下皿に貯留された現物の遊技玉を計数し、持玉数に加算する処理である。また、持玉再プレイ操作とは、持玉の一部又は全てを現物の遊技玉で払い出して、遊技機１２０において使用可能とするための操作である。
【０１８４】
このように、台間カード処理機１１０は、貯玉への移行に係る第１の操作（「貯玉移行」ボタンの操作）を受け付けてから貯玉への移行の実行に対応する第２の操作（「開始」ボタンの操作）を受け付けるまでの間に、貯玉への移行の対象となる持玉に影響する所定の状態が発生したか否かを判定し、かかる状態が発生した場合には貯玉への移行を抑制する。このため、遊技客の意図と相違するなどの不都合の発生を防ぎ、貯玉への円滑な移行を実現して利便性を向上することができる。
【０１８５】
次に、図１３に示した台間カード処理機１１０の外観について説明する。図１４は、台間カード処理機１１０の外観を示す図である。なお、図１４では、遊技機１２０に接続された台間カード処理機１１０の外観を示しており、併設される遊技機１２０を破線で図示している。また、図１４では、紙幣のみを受け付ける台間カード処理機１１０を図示したが、硬貨受付用のユニットを設けることもできる。
【０１８６】
図１４に示すように台間カード処理機１１０は、状態表示部１１、紙幣挿入口１２ａ、表示操作部１３、カード挿入口１４ａ、かざし部１４ｂ、ノズルユニット１１８ａ及び計数ユニット１１８ｂを有する。
【０１８７】
状態表示部１１、紙幣挿入口１２ａ、表示操作部１３、カード挿入口１４ａ及びかざし部１４ｂについては、実施例１に示した台間カード処理機１０と同様であるので、同一の構成要素には同一の符号を付して説明を省略する。
【０１８８】
ノズルユニット１１８ａは、遊技玉を遊技機１２０に投出する機構である。計数ユニット１１８ｂは、遊技機１２０の下皿から落下させた遊技玉を計数する機構である。
【０１８９】
次に、図１３に示した台間カード処理機１１０の内部構成について説明する。図１５は、図１３に示した台間カード処理機１１０の構成を示す機能ブロック図である。図１５に示すように、台間カード処理機１１０は、紙幣搬送部１２と、表示操作部１３と、リーダライタ１４と、かざし部１４ｂと、通信部１１５と、記憶部１１６と、制御部１１７と、ノズルユニット１１８ａと、計数ユニット１１８ｂとを有する。
【０１９０】
紙幣搬送部１２、表示操作部１３、リーダライタ１４及びかざし部１４ｂについては、実施例１と同様であるので、説明を省略する。また、開放式の遊技機１２０に対応して設けられるため、リーダライタ１４によりカードの返却が制限される場合に、持玉数に相当する払出を後述するノズルユニット１１８ａから行っても良い。
【０１９１】
通信部１１５は、遊技機１２０及び通信回線などとの間のデータ通信を行なうためのインタフェース部である。ノズルユニット１１８ａは、玉貸又は再プレイにより遊技玉を払い出す際に、その一部又は全ての払い出しに使用される。ノズルユニット１１８ａには、台間カード処理機１１０の外部である、台間カード処理機１１０が属する島の補給機構から払い出すための遊技玉が補給され、ノズルユニット１１８ａ内のカウント機構によって遊技玉の数をカウントしつつ払い出すようになっている。前述の持玉再プレイ操作がなされた場合には、遊技機から払出可能な単位（例えば２５玉）単位の玉数は通信部１１５を用いた払出指示信号を遊技機１２０に向けて送信することにより払い出しを行い、払い出し可能な単位以下の玉数については、ノズルユニット１１８ａの制御により払い出すことで持玉再プレイ処理が行われる。
【０１９２】
計数ユニット１１８ｂは、遊技玉を計数するユニットである。計数ユニット１１８ｂは、遊技客が遊技にて獲得した遊技玉を受け皿にて受け入れ、受け入れた遊技玉を内部の通路に整列させ、整列させた状態の遊技玉を計数ユニット１１８ｂ内部にある計数部のセンサにてカウントすることで内部に持玉数を記憶する持玉メモリを有する。計数部にて計数済の遊技玉は、島内に設けられる回収通路に排出される。計数ユニット１１８ｂは、制御部１１７からの持玉加算要求を受けた場合に、持玉メモリの持玉数を加算する。また、制御部１１７からの持玉減算要求を受けた場合に、持玉メモリの持玉数を減算する。また、遊技玉を計数した場合には、計数結果を持玉メモリの持玉数に加算する。そして、計数ユニット１１８ｂから持玉返却要求を受けた場合には、持玉メモリの持玉数について持玉加算要求を制御部１１７に送信し、持玉メモリをゼロにクリアする。
【０１９３】
記憶部１１６は、ハードディスク装置や不揮発性メモリ等からなる記憶デバイスである。記憶部１１６は、自装置状態データ１６ａ、カードデータ１６ｂ及び貯玉移行制御データ１１６ｃを記憶する。
【０１９４】
自装置状態データ１６ａ及びカードデータ１６ｂについては、実施例１と同様である。貯玉移行制御データ１１６ｃは、持玉や遊技可能数の貯玉への移行に係る処理を制御するためのデータである。貯玉移行制御データ１１６ｃは、貯玉への移行時に玉数の指定を許可するか否か、貯玉への移行への抑制についての判定を行うタイミング、貯玉への移行への抑制についての判定条件、抑制の具体的な動作を規定する。
【０１９５】
制御部１１７は、台間カード処理機１１０の全体を制御する制御部であり、データ管理部１１７ａ、貯玉移行処理部１１７ｃ、貯玉移行判定部１１７ｄ及び貯玉移行抑制部１１７ｅを有する。
【０１９６】
データ管理部１１７ａは、カードが挿入された場合に、自装置状態データ１６ａの装置ＩＤと、カードデータ１６ｂのカードＩＤとを含むカード挿入通知データをカード管理装置４０に送信する。また、データ管理部１１７ａは、カード管理装置４０から有価価値（プリペイド価値、持玉数及び貯玉数の少なくともいずれか）を含むデータを受信した場合に、受信した有価価値によりカードデータ１６ｂを更新する。また、自レート（自装置状態データ１６ａの遊技設定に示されたレート）の持玉数について、計数ユニット１１８ｂに持玉加算要求を送信し、カードデータ１６ｂにおける自レートの持玉数をゼロにクリアする。データ管理部１１７ａは、カードデータ１６ｂに示されたプリペイド価値、持玉数及び貯玉数を適宜表示操作部１３に表示制御する。このとき、持玉数については、計数ユニット１１８ｂの持玉メモリに示された持玉数を表示する。
【０１９７】
また、データ管理部１１７ａは、紙幣挿入口１２ａに紙幣が挿入されると、挿入された紙幣の金額、カードＩＤ及び台間カード処理機ＩＤを含む入金通知データをカード管理装置４０に送信する。
【０１９８】
また、データ管理部１１７ａは、遊技客により玉貸操作が行なわれた場合に、カードＩＤ及び装置ＩＤを含む玉貸要求データをカード管理装置４０に送信する。この玉貸要求データへの応答として玉貸許可データを受信したならば、データ管理部１１７ａは、所定数の遊技玉の払出処理を行う。開放式の遊技機１２０に併設された台間カード処理機１１０は、払出処理において、現物の遊技玉を払い出す。
【０１９９】
また、データ管理部１１７ａは、遊技客により持玉再プレイ操作が行なわれた場合に、計数ユニット１１８ｂに持玉減算要求を送信して持玉数を減算させ、所定数の遊技玉の払出処理を行う。
【０２００】
また、データ管理部１１７ａは、カードデータ１６ｂに示された貯玉再プレイの可能数が１以上である場合には、表示操作部１３に貯玉再プレイボタンを表示し、貯玉再プレイ操作を受付可能とする。データ管理部１１７ａは、遊技客により貯玉再プレイ操作が行なわれた場合に、カードＩＤ及び台間カード処理機ＩＤを含む貯玉再プレイ要求データを会員管理装置５０に送信する。この貯玉再プレイ要求データへの応答として貯玉再プレイデータを受信したならば、カードデータ１６ｂの貯玉数を更新し、貯玉再プレイ単位数の遊技玉を払出処理する。なお、初回の貯玉再プレイ操作時には、暗証番号の入力を求め、カードデータ１６ｂに示された暗証番号と一致することを条件に貯玉再プレイ要求データ送信する。
【０２０１】
また、データ管理部１１７ａは、遊技客によりカード返却操作が行なわれた場合に、計数ユニット１１８ｂに持玉返却要求を送信し、計数ユニット１１８ｂから受信した持玉加算要求に基づいてカードデータ１６ｂにおける自レートの持玉数を加算する。その後、カードＩＤ、装置ＩＤ並びに持玉数を含む持玉加算要求データをカード管理装置４０に送信して、カードデータ１６ｂの持玉数をゼロクリアした後、カード排出通知データをカード管理装置４０に送信し、カードを排出する。
【０２０２】
貯玉移行処理部１１７ｃは、持玉を貯玉に移行させる貯玉移行処理を行う処理部である。具体的には、貯玉移行処理部１１７ｃは、カードデータ１６ｂに示されたカードＩＤが会員カードのカードＩＤであれば、表示操作部１３に「貯玉移行」ボタンを表示制御する。
【０２０３】
貯玉移行処理部１１７ｃは、「貯玉移行」ボタンに対する操作を受け付けたならば、貯玉移行制御データ１１６ｃを参照し、貯玉への移行時に玉数の指定を許可するか否かを示す移行玉数指定の値を読み取る。
【０２０４】
移行玉数指定「あり」であれば、貯玉移行処理部１１７ｃは、表示操作部１３に貯玉移行画面を表示制御する。この貯玉移行画面では、まず、「持玉全て」ボタンと「指定個数」ボタンが表示される。
【０２０５】
「指定個数」ボタンへの操作を受け付けると、貯玉移行処理部１１７ｃは、貯玉に移行する遊技玉数の指定を受け付ける画面を表示操作部１３に表示制御し、入力された指定個数を貯玉移行の対象として決定する。ここで、貯玉に移行することのできる上限である貯玉可能数は、持玉数と同数である。すなわち、遊技客は、持玉数の範囲内で貯玉への移行を行なうことができる。
【０２０６】
具体的には、指定個数の入力を受け付けると、貯玉移行処理部１１７ｃは、計数ユニット１１８ｂに持玉返却要求を送信する。計数ユニット１１８ｂは、持玉返却要求を受け付けたならば、持玉メモリの持玉数について持玉加算要求を制御部１１７に送信し、持玉メモリをゼロにクリアする。そして、貯玉移行処理部１１７ｃは、持玉加算要求に示された遊技可能数をカードデータ１６ｂにおける自レートの持玉数に加算する。
【０２０７】
同様に、「持玉全て」ボタンへの操作を受け付けた場合には、貯玉移行処理部１１７ｃは、遊技設定に示された遊技種の持玉数全てを貯玉移行の対象とし、計数ユニット１１８ｂに持玉返却要求を送信する。
【０２０８】
貯玉移行処理部１１７ｃは、貯玉移行の対象となる玉数を決定した後、「開始」ボタンの操作が行われた場合に、貯玉移行処理を行う。
【０２０９】
貯玉移行処理では、貯玉移行処理部１１７ｃは、貯玉移行の対象の玉数をカードデータ１６ｂにおける自レートの持玉数から減算し、同数を同遊技種の貯玉に加算するよう会員管理装置５０に要求する。なお、貯玉移行後に持玉数が残った場合には、持玉数の残りについて持玉加算要求を計数ユニット１１８ｂに送信し、カードデータ１６ｂにおける自レートの持玉数をゼロにクリアする。
【０２１０】
このように、移行玉数指定「あり」の場合には、「貯玉移行」ボタンの操作のみで貯玉移行処理が実行されるのではなく、「開始」ボタンの操作により貯玉移行処理が実行されることになる。
【０２１１】
移行玉数指定「なし」、すなわち、貯玉への移行時に玉数の指定を許可しない設定であれば、貯玉移行処理部１１７ｃは、遊技設定に示された遊技種の持玉数全てを貯玉移行の対象として決定し、貯玉移行処理を実行する。このように、移行玉数指定「なし」の場合には、「貯玉移行」ボタンの操作のみで貯玉移行処理を実行することができる。
【０２１２】
貯玉移行処理部１１７ｃは、カードデータ１６ｂに示されたカードＩＤが一般カードのカードＩＤであれば、表示操作部１３に「ケータイ貯玉」ボタンを表示制御する。貯玉移行処理部１１７ｃは、「ケータイ貯玉」ボタンに対する操作を受け付けたならば、貯玉移行制御データ１１６ｃを参照し、移行玉数指定の値を読み取る。
【０２１３】
そして、移行玉数指定「あり」であれば、「貯玉移行」ボタンを操作された場合と同様に、貯玉移行の対象となる玉数を決定する。移行玉数指定「なし」であれば、「貯玉移行」ボタンを操作された場合と同様に、貯玉移行の対象となる玉数を決定するが、貯玉移行処理の実行は行わない。
【０２１４】
貯玉移行処理部１１７ｃは、貯玉移行の対象となる玉数を決定した後、かざし部１４ｂにより携帯ＩＤｍを読み取り、該携帯ＩＤｍが会員カードのカードＩＤに関連付けられていた場合に、貯玉移行処理を実行する。すなわち、携帯ＩＤｍにより会員を特定することを貯玉移行処理の実行の条件とするのである。
【０２１５】
貯玉移行判定部１１７ｄは、貯玉移行処理に係る第１の操作を受け付けてから貯玉移行処理の実行に対応する第２の操作を受け付けるまでの間に、貯玉移行処理の対象となる玉数に影響する所定の状態が発生したか否かを判定する処理部である。貯玉移行処理に係る第１の操作とは、例えば貯玉移行処理に係る最初の操作であり、具体的には「貯玉移行」ボタンの操作や「ケータイ貯玉」ボタンの操作である。そして、貯玉移行処理の実行に対応する第２の操作は、「開始」ボタンの操作や携帯ＩＤｍをかざし部１４ｂに読み取らせる操作である。この第１の操作と第２の操作により定まる判定のタイミングは、貯玉移行制御データ１１６ｃに規定される。また、貯玉移行処理の対象となる玉数に影響する所定の状態についても、貯玉移行制御データ１１６ｃに規定される。
【０２１６】
貯玉移行抑制部１１７ｅは、貯玉移行判定部１１７ｄにより所定の状態が発生したと判定された場合に、貯玉移行処理を抑制する処理部である。貯玉移行処理の抑制の具体的な動作は、貯玉移行制御データ１１６ｃに規定される。例えば、抑制の動作として「貯玉移行取消」が規定されていたならば、貯玉移行処理に係るそれまでの操作は取り消され、元のメニュー画面に戻ることになる。また、抑制の動作として「貯玉移行中断」が規定されていたならば、所定の状態が解消するまで貯玉移行処理は保留され、所定の状態が解消した場合に貯玉移行処理が実行される。
【０２１７】
次に、図１５に示した貯玉移行制御データ１１６ｃの一例について説明する。図１６は、図１５に示した貯玉移行制御データ１１６ｃの一例を説明するための説明図である。
【０２１８】
貯玉移行制御データ１１６ｃは、移行玉数指定、判定タイミング、判定条件、抑制動作を含む。移行玉数指定は、貯玉への移行時に玉数の指定を許可するか否かを示し、「あり」又は「なし」の値をとる。判定タイミングは、貯玉移行判定部１１７ｄがどのタイミングで判定を行うかを示す。図１６では、「貯玉移行」ボタンの操作から「開始」ボタンの操作と、「ケータイ貯玉」ボタンの操作から会員ＩＤ読取までとが判定のタイミングとして規定されている。
【０２１９】
判定条件は、貯玉移行判定部１１７ｄが貯玉移行処理の対象となる玉数に影響する所定の状態が発生したと判定するための条件である。図１６では、計数検知及び持玉再プレイ操作受付を条件として用いることが規定された状態を示している。
【０２２０】
抑制動作は、貯玉移行処理の抑制の具体的な動作を規定する。図１６では、貯玉移行取消が抑制動作として規定されている。貯玉移行取消は、貯玉移行処理に係るそれまでの操作を取り消し、元のメニュー画面に戻る動作である。この他、貯玉移行中断を抑制動作として規定することもできる。貯玉移行中断は、所定の状態が解消するまで貯玉移行処理を保留し、所定の状態が解消した場合に貯玉移行処理を実行する動作である。
【０２２１】
次に、貯玉移行処理における持玉数の管理の一例について説明する。図１７は、会員カードが挿入された状態での貯玉移行処理における持玉数の管理の一例についての説明図である。
【０２２２】
図１７では、まず、台間カード処理機１１０が会員カードを受け付けて、該カードに対応付けられた持玉数を一旦カードデータ１６ｂに格納する。このカードデータに示された持玉数をカードデータ持玉という。図１７では、カードデータ持玉の初期値が「１０００玉」である。その後、データ管理部１１７ａは、自レートの持玉数について、計数ユニット１１８ｂに持玉加算要求を送信し、カードデータ１６ｂにおける自レートの持玉数をゼロにクリアする。この結果、カードデータ持玉は「０玉」、持玉メモリは「１０００玉」となる。
【０２２３】
持玉再プレイ操作を受け付けると、データ管理部１１７ａは、計数ユニット１１８ｂに持玉減算要求を送信し、持玉メモリを１２５玉減算させるとともに、１２５玉の遊技玉を払い出す。この結果、持玉メモリは「８７５玉」となる。
【０２２４】
この状態で「貯玉移行」ボタンの操作を受け付け、指定個数「８００玉」の入力を受け付けたならば、データ管理部１１７ａは、計数ユニット１１８ｂに持玉返却要求を行う。持玉返却要求を受けた計数ユニット１１８ｂは、持玉メモリの「８７５玉」について持玉加算要求をデータ管理部１１７ａに送信し、持玉メモリをゼロにクリアする。
【０２２５】
データ管理部１１７ａは、持玉加算要求に示された「８７５玉」をカードデータ持玉に加算し、カードデータ持玉は「８７５玉」となる。その後、貯玉移行処理部１１７ｃは、指定個数である「８００玉」を会員管理装置５０に通知し、貯玉数に加算させる。図１７では、移行前の貯玉が「５０玉」であるので、移行後の貯玉は「８５０玉」である。また、カードデータ持玉から指定個数である「８００玉」を減算するので、カードデータ持玉は「７５玉」となる。データ管理部１１７ａは、カードデータ持玉「７５玉」について計数ユニット１１８ｂに持玉加算要求を送信し、カードデータ持玉をゼロにクリアする。この結果、カードデータ持玉は「０玉」、持玉メモリは「７５玉」となる。
【０２２６】
図１８は、一般カードが挿入された状態での貯玉移行処理における持玉数の管理の一例についての説明図である。
【０２２７】
図１８では、まず、台間カード処理機１１０が一般カードを受け付けて、該カードに対応付けられた持玉数を一旦カードデータ１６ｂに格納する。図１８では、カードデータ持玉の初期値が「１０００玉」である。その後、データ管理部１１７ａは、自レートの持玉数について、計数ユニット１１８ｂに持玉加算要求を送信し、カードデータ１６ｂにおける自レートの持玉数をゼロにクリアする。この結果、カードデータ持玉は「０玉」、持玉メモリは「１０００玉」となる。
【０２２８】
持玉再プレイ操作を受け付けると、データ管理部１１７ａは、計数ユニット１１８ｂに持玉減算要求を送信し、持玉メモリを１２５玉減算させるとともに、１２５玉の遊技玉を払い出す。この結果、持玉メモリは「８７５玉」となる。
【０２２９】
この状態で「ケータイ貯玉」ボタンの操作を受け付け、携帯ＩＤｍを読み取ったならば、貯玉移行処理部１１７ｃは、持玉の全数「８７５玉」を貯玉移行の対象とする。そして、データ管理部１１７ａは、計数ユニット１１８ｂに持玉返却要求を行う。持玉返却要求を受けた計数ユニット１１８ｂは、持玉メモリの「８７５玉」について持玉加算要求をデータ管理部１１７ａに送信し、持玉メモリをゼロにクリアする。
【０２３０】
データ管理部１１７ａは、持玉加算要求に示された「８７５玉」をカードデータ持玉に加算し、カードデータ持玉は「８７５玉」となる。その後、貯玉移行処理部１１７ｃは、カードデータ持玉「８７５玉」を会員管理装置５０に通知し、貯玉数に加算させる。図１８では、移行前の貯玉が「５０玉」であるので、移行後の貯玉は「９２５玉」である。また、台間カード処理機１１０は、カードデータ持玉をゼロにクリアする。
【０２３１】
上述してきたように、実施例２に係る台間カード処理機１１０は、貯玉への移行に係る第１の操作（「貯玉移行」ボタンの操作や「ケータイ貯玉」ボタンの操作）を受け付けてから貯玉への移行の実行に対応する第２の操作（「開始」ボタンの操作や携帯ＩＤｍを読み取らせる操作）を受け付けるまでの間に、貯玉への移行の対象となる持玉に影響する所定の状態が発生したか否かを判定し、かかる状態が発生した場合には貯玉への移行を抑制する。このため、遊技客の意図と相違するなどの不都合の発生を防ぎ、貯玉への円滑な移行を実現して利便性を向上することができる。
【０２３２】
なお、上述の実施例で示した貯玉への移行の対象となる持玉に影響する所定の状態はあくまで一例であり、任意の状態を用いることができる。どのような状態において貯玉への移行を抑制するかについては、貯玉移行制御データの判定条件に適宜設定することが可能である。例えば、遊技客からの操作がないまま所定時間が経過した場合に、貯玉移行処理を抑制することとしてもよい。
【０２３３】
同様に、貯玉移行処理の抑制にかかる動作についても、上述の実施例に限定されることなく、任意の状態を用いることができる。どのような動作を用いるかについては、貯玉移行制御データの抑制動作に適宜設定することが可能である。また、貯玉移行の取消しや中断が発生した場合に、その旨を遊技客に報知してもよい。
【０２３４】
また、上述の実施例では、移行玉数指定「あり」で「持玉全て」ボタンを操作された場合にも、「開始」ボタンの操作を条件に貯玉移行処理を実行する構成を例示したが、移行玉数指定「あり」で「持玉全て」ボタンを操作された場合には、「開始」ボタンの操作を求めずに貯玉移行処理を実行してもよい。この場合には、「持玉全て」ボタンの操作を、貯玉への移行の実行に対応する第２の操作として用いることができる。
【０２３５】
また、上述の実施例では、直接的に貯玉を要求する操作を契機に貯玉移行処理を実行する構成を例示したが、結果的に貯玉を行うこととなる処理であれば上記の例に限定されない。例えば、遊技場内で複数の貸出単価（４円、１円など）の遊技玉が運用されている場合であって、持玉を他の貸出単価に換算して使用することができる場合に、他の単価の持玉の換算使用を要求する操作をすると、一旦当該持玉を貯玉する運用が考えられる。このような場合においても、処理の完結までに第２の操作が行われることがあるため、上記実施例と同様な制御を行うことができる。
【０２３６】
また、上述の実施例において、貯玉を当日に獲得された「当日貯玉」と当日以前に獲得された「過去貯玉」に分けて管理し、再プレイの可否などの扱いを異ならせることとしてもよい。また、上述の実施例における「持玉」の一部、例えばカードに関連付けて返却され、上位装置で管理された状態の「持玉」を上述の「当日貯玉」と合一して扱うこともできる。
【０２３７】
また、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０２３８】
また、上述の実施例では、遊技玉を遊技媒体として使用する場合を例に説明を行なったが、スロットマシン用のメダルを用いる場合にも適用可能である。スロットマシン用のメダルを上述の実施例２に適用する場合には、メダルの計数処理は機械的な駆動によって行なわれるため、第２の操作として計数が行なわれた場合には、計数処理の駆動を所定期間（例えば貯数の処理が完了するまで）停止（操作を受付けない、あるいは操作に応じた動作を待機）することとしてもよい。
【０２３９】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０２４０】
以上のように、本発明に係る各台装置及び遊技媒体数管理方法は、各台装置における貯玉への移行を円滑に行うことで利便性の向上を実現することに適している。
【符号の説明】
【０２４１】
１０、１１０  台間カード処理機
１１  状態表示部
１２  紙幣搬送部
１２ａ  紙幣挿入口
１３、２２  表示操作部
１４  リーダライタ
１４ａ  カード挿入口
１４ｂ  かざし部
１５、１１５  通信部
１６、１１６  記憶部
１６ａ  自装置状態データ
１６ｂ  カードデータ
１６ｃ、１１６ｃ  貯玉移行制御データ
１７、１１７  制御部
１７ａ、１１７ａ  データ管理部
１７ｂ  遊技設定処理部
１７ｃ、１１７ｃ  貯玉移行処理部
１７ｄ、１１７ｄ  貯玉移行判定部
１７ｅ、１１７ｅ  貯玉移行抑制部
１８  遊技管理部
１８ａ  認証処理部
１８ｂ  認証鍵管理部
１８ｃ  遊技機状態管理部
２０、１２０  遊技機
２１  ハンドル
２３  計数ボタン
２４  通信制御部
２５  演出制御部
２５ａ  演出図柄抽選部
２５ｂ  演出抽選部
２６  遊技制御部
２７  遊技玉制御部
２７ａ  遊技可能数メモリ
３０  島コントローラ
４０  カード管理装置
５０  会員管理装置
６０  賞品管理装置
８０  精算機
１１８ａ  ノズルユニット
１１８ｂ  計数ユニット
【図１】
2017108768.tif 000003
【図２】
2017108768.tif 000004
【図３】
2017108768.tif 000005
【図４】
2017108768.tif 000006
【図５】
2017108768.tif 000007
【図６】
2017108768.tif 000008
【図７】
2017108768.tif 000009
【図８】
2017108768.tif 000010
【図９】
2017108768.tif 000011
【図１０】
2017108768.tif 000012
【図１１】
2017108768.tif 000013
【図１２】
2017108768.tif 000014
【図１３】
2017108768.tif 000015
【図１４】
2017108768.tif 000016
【図１５】
2017108768.tif 000017
【図１６】
2017108768.tif 000018
【図１７】
2017108768.tif 000019
【図１８】
2017108768.tif 000020